(57)【要約】  本開示は、能力指示方法、端末及びネットワーク側ネットワーク要素を提供する。前記能力指示方法は、端末能力の第１指示情報と前記第１指示情報によりマッピングされる端末能力情報との少なくとも１つを含む第１情報を取得することと、前記第１情報に基づいて、前記端末能力の第２指示情報を送信することとを含む。
2021533624.tif 000002
【特許請求の範囲】
【請求項１】
端末に適用される能力指示方法において、
端末能力の第１指示情報と前記第１指示情報によりマッピングされる端末能力情報との少なくとも１つを含む第１情報を取得することと、
前記第１情報に基づいて、前記端末能力の第２指示情報を送信することとを含む、能力指示方法。
【請求項２】
前記端末能力の第１指示情報は、端末機種情報と、能力指示補助情報と、端末能力の識別情報との少なくとも１つを含み、
前記端末能力の第２指示情報は、端末機種情報と、能力指示補助情報と、端末能力の識別情報との少なくとも１つを含む、請求項１に記載の方法。
【請求項３】
前記端末機種情報は、端末メーカー識別子と、タイプ割り当てコードと、ソフトウェアバージョン番号との少なくとも１つを含む、請求項２に記載の方法。
【請求項４】
前記能力指示補助情報は、能力に対応するカードスロット情報と、能力に対応するカード情報と、能力に対応するサービスネットワーク情報と、能力に対応するネットワークタイプ情報と、能力タイプ指示情報との少なくとも１つを含む、請求項２に記載の方法。
【請求項５】
前記能力タイプ指示情報は、無線能力指示情報とネットワーク能力指示情報との少なくとも１つを含む、請求項４に記載の方法。
【請求項６】
前記能力に対応するカードスロット情報は、カードスロットの識別情報と、対応するカードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含む、請求項４に記載の方法。
【請求項７】
前記能力に対応するカード情報は、カードの番号と、カードが位置するカードスロットの番号と、メインカード又はサブカードの指示情報と、能力が全てのカードに適用するか否かを示す指示情報と、能力がカードを区別しないか否かを示す指示情報との少なくとも１つを含む、請求項４に記載の方法。
【請求項８】
前記能力に対応するサービスネットワーク情報は、サービスネットワークのネットワーク識別情報と、能力が全てのサービスネットワークに適用するか否かを示す指示情報と、能力がサービスネットワークを区別しないか否かを示す指示情報との少なくとも１つを含む、請求項４に記載の方法。
【請求項９】
前記能力に対応するネットワークタイプ情報は、ネットワークタイプと、能力が全てのネットワークタイプに適用するか否かを示す指示情報と、能力がネットワークタイプを区別しないか否かを示す指示情報との少なくとも１つを含む、請求項４に記載の方法。
【請求項１０】
前記端末能力の識別情報は、能力識別子と能力識別子の適用範囲情報との少なくとも１つを含む、請求項２に記載の方法。
【請求項１１】
前記能力識別子の適用範囲情報は、能力識別子に対応するカード情報と、能力識別子に対応するカードスロット情報と、能力識別子に対応するサービスネットワーク情報と、能力識別子に対応するネットワークタイプ情報との少なくとも１つを含む、請求項１０に記載の方法。
【請求項１２】
前記能力識別子に対応するカード情報は、カードの番号と、カードが位置するカードスロット情報と、メインカード又はサブカードの指示情報と、能力が全てのカードに適用するか否かを示す指示情報と、能力がカードを区別しないか否かを示す指示情報との少なくとも１つを含む、請求項１１に記載の方法。
【請求項１３】
前記能力識別子に対応するカードスロット情報は、カードスロットの識別情報と、カードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含む、請求項１１に記載の方法。
【請求項１４】
前記能力識別子に対応するサービスネットワーク情報は、サービスネットワークのネットワーク識別情報と、能力識別子が全てのサービスネットワークに適用するか否かを示す指示情報と、能力識別子がサービスネットワークを区別しないか否かを示す指示情報との少なくとも１つを含む、請求項１１に記載の方法。
【請求項１５】
前記能力識別子に対応するネットワークタイプ情報は、ネットワークタイプと、能力識別子が全てのネットワークタイプに適用するか否かを示す指示情報と、能力識別子がネットワークタイプを区別しないか否かを示す指示情報との少なくとも１つを含む、請求項１１に記載の方法。
【請求項１６】
前記第１情報に基づいて、前記端末能力の第２指示情報を送信することは、前記第１情報及び端末のアクセス情報に基づいて、前記端末能力の第２指示情報を送信することを含み、
前記端末のアクセス情報は、端末がアクセスするサービスネットワークと、端末のサービスネットワークにアクセスするカードの位置と、端末のサービスネットワークにアクセスするカードが位置するカードスロットと、端末が第Ｎカードによりサービスネットワークにアクセスすることと、端末がアクセスするサービスネットワークのネットワークタイプとの少なくとも１つを含む、請求項１に記載の方法。
【請求項１７】
前記端末能力の第２指示情報を送信することは、
端末が第Ｎカードにより第１ネットワークにアクセスする場合に、前記第Ｎカードに対応する能力識別情報を送信することと、
端末が第Ｎカードにより第１ネットワークにアクセスする場合に、前記第１ネットワークの第Ｎカードに対応する能力識別情報を送信することと、
端末が第Ｎカードにより第１ネットワークにアクセスする場合に、前記第１ネットワークの第Ｎカードに対応する、前記端末の前記第１ネットワークの１つ以上のネットワークタイプにおいて対応する能力識別情報を含む能力識別情報を送信することと、
端末が第１ネットワークにアクセスする場合に、前記第１ネットワークに対応する能力識別情報を送信することと、
端末が第１ネットワークにアクセスする場合に、前記端末の前記第１ネットワークの１つ以上のネットワークタイプにおいて対応する能力識別情報を送信することと、
端末が第１ネットワークタイプのネットワークにアクセスする場合に、前記第１ネットワークタイプに対応する能力識別情報を送信することと、の少なくとも１つを含み、
Ｎは１以上の正の整数であり、前記第１ネットワークの第Ｎカードは、前記端末の第Ｎカードスロットに装着される前記第１ネットワークのカードである、請求項１６に記載の方法。
【請求項１８】
前記端末能力の第２指示情報を送信することは、端末がネットワークにアクセスする場合に、端末能力の第２指示情報を送信すること、
又は、
ネットワークが端末の能力情報を要求する場合に、前記端末能力の第２指示情報を送信することを含む、請求項１に記載の方法。
【請求項１９】
前記端末能力は、端末コアネットワーク能力と端末無線能力との少なくとも１つを含む、請求項１〜１８のいずれか１項に記載の方法。
【請求項２０】
第１ネットワーク側ネットワーク要素に適用される能力指示方法において、
端末能力の第２指示情報を取得することと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行することとを含む、能力指示方法。
【請求項２１】
前記端末能力の第２指示情報は、端末機種情報と、能力指示補助情報と、端末能力の識別情報との少なくとも１つを含む、請求項２０に記載の方法。
【請求項２２】
前記第１対象端は、端末とＣＮネットワーク要素の少なくとも１つを含む、請求項２０に記載の方法。
【請求項２３】
前記端末能力の第２指示情報を取得することは、端末、無線アクセスネットワークＲＡＮネットワーク要素又はコアネットワークＣＮネットワーク要素の少なくとも１つから前記端末能力の第２指示情報を取得することを含む、請求項２０〜２２のいずれか１項に記載の方法。
【請求項２４】
前記第１ネットワーク側ネットワーク要素は第１ＣＮネットワーク要素であり、前記端末能力の第２指示情報を端末から取得した後に、前記端末能力の第２指示情報を前記第１対象端に送信することは、第２ＣＮネットワーク要素又はＲＡＮネットワーク要素の少なくとも１つに前記端末能力の第２指示情報を送信することを含む、請求項２３に記載の方法。
【請求項２５】
通信装置に適用される能力指示方法において、
端末能力に関連する情報を取得することと、
前記端末能力に関連する情報に基づいて、端末能力の第１指示情報と前記第１指示情報によりマッピングされる端末能力情報との少なくとも１つを含む第１情報を端末に割り当てることとを含む、能力指示方法。
【請求項２６】
前記端末能力に関連する情報は、端末機種情報と、能力指示補助情報と、端末能力情報との少なくとも１つを含む、請求項２５に記載の方法。
【請求項２７】
前記端末能力に関連する情報に基づいて、第１情報を端末に割り当てることは、
前記端末機種情報及び前記能力指示補助情報に基づいて、前記端末能力の第１指示情報を前記端末に割り当てることと、
前記能力指示補助情報に基づいて、前記端末能力の第１指示情報を前記端末に割り当てることと、
前記端末機種情報に基づいて、前記端末能力の第１指示情報を前記端末に割り当てることとの少なくとも１つを含む、請求項２６に記載の方法。
【請求項２８】
端末能力の第１指示情報と前記第１指示情報によりマッピングされる端末能力情報との少なくとも１つを含む第１情報を取得する第１取得モジュールと、
前記第１情報に基づいて、前記端末能力の第２指示情報を送信する送信モジュールとを含む、端末。
【請求項２９】
端末能力の第２指示情報を取得する第２取得モジュールと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行する実行モジュールとを含む、第１ネットワーク側ネットワーク要素。
【請求項３０】
端末能力に関連する情報を取得する第３取得モジュールと、
前記端末能力に関連する情報に基づいて、端末能力の第１指示情報と前記第１指示情報によりマッピングされる端末能力情報との少なくとも１つを含む第１情報を端末に割り当てる割り当てモジュールとを含む、通信装置。
【請求項３１】
メモリと、プロセッサと、前記メモリに記憶されて前記プロセッサ上で動作可能で、前記プロセッサにより実行されると、請求項１〜１９のいずれか１項に記載の能力指示方法のステップ、又は請求項２０〜２４のいずれか１項に記載の能力指示方法のステップ、又は請求項２５〜２７のいずれか１項に記載の能力指示方法のステップを実現するコンピュータプログラムとを含む、通信装置。
【請求項３２】
プロセッサにより実行されると、請求項１〜１９のいずれか１項に記載の能力指示方法のステップ、又は請求項２０〜２４のいずれか１項に記載の能力指示方法のステップ、又は請求項２５〜２７のいずれか１項に記載の能力指示方法のステップを実現するコンピュータプログラムが記憶されたコンピュータ読み取り可能な記憶媒体。
【発明の詳細な説明】
【技術分野】
【０００１】
関連出願の相互参照
本願は、２０１８年８月１日に提出された中国特許出願第２０１８１０８６６２９５．９号の優先権を主張するものであり、その全ての内容は参照により本願に組み込まれるものとする。
【０００２】
本開示は、通信の技術分野に関し、特に能力指示方法、端末及びネットワーク側ネットワーク要素に関する。
【背景技術】
【０００３】
ネットワーク技術の進化に伴い、端末のサポートする必要がある能力が多くなっているとともに、端末がネットワークに報告する必要がある能力も多くなっている。そのため、端末能力報告によるエアインタフェース負荷が大きくなっている。
【０００４】
しかしながら、どのように端末能力報告を最適化するかについて明確な定説がない。
【発明の概要】
【課題を解決するための手段】
【０００５】
本開示の実施例は、どのように端末能力報告を最適化するかが明確化されていないという問題を解決するために、能力指示方法、端末及びネットワーク側ネットワーク要素を提供する。
【０００６】
第１態様では、本開示の実施例に係る、端末に適用される能力指示方法は、
端末能力の第１指示情報と前記第１指示情報によりマッピングされる端末能力情報との少なくとも１つを含む第１情報を取得することと、
前記第１情報に基づいて、前記端末能力の第２指示情報を送信することとを含む。
【０００７】
第２態様では、本開示の実施例に係る、第１ネットワーク側ネットワーク要素に適用される能力指示方法は、
端末能力の第２指示情報を取得することと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行することとを含む。
【０００８】
第３態様では、本開示の実施例に係る、通信装置に適用される能力指示方法は、
端末能力に関連する情報を取得することと、
前記端末能力に関連する情報に基づいて、端末能力の第１指示情報と前記第１指示情報によりマッピングされる端末能力情報との少なくとも１つを含む第１情報を端末に割り当てることとを含む。
【０００９】
第４態様では、本開示の実施例に係る端末は、
端末能力の第１指示情報と前記第１指示情報によりマッピングされる端末能力情報との少なくとも１つを含む第１情報を取得する第１取得モジュールと、
前記第１情報に基づいて、前記端末能力の第２指示情報を送信する送信モジュールとを含む。
【００１０】
第５態様では、本開示の実施例に係る第１ネットワーク側ネットワーク要素は、
端末能力の第２指示情報を取得する第２取得モジュールと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行する実行モジュールとを含む。
【００１１】
第６態様では、本開示の実施例に係る通信装置は、
端末能力に関連する情報を取得する第３取得モジュールと、
前記端末能力に関連する情報に基づいて、端末能力の第１指示情報と前記第１指示情報によりマッピングされる端末能力情報との少なくとも１つを含む第１情報を端末に割り当てる割り当てモジュールとを含む。
【００１２】
第７態様では、本開示の実施例に係る通信装置は、メモリと、プロセッサと、前記メモリに記憶されて前記プロセッサ上で動作可能で、前記プロセッサにより実行されると、上記能力指示方法のステップを実現するコンピュータプログラムとを含む。
【００１３】
第８態様では、本開示の実施例に係るコンピュータ読み取り可能な記憶媒体は、プロセッサにより実行されると、上記能力指示方法のステップを実現するコンピュータプログラムが記憶されている。
【００１４】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる。他方で、同じ端末が異なる条件で異なる端末能力に対応するという需要を満たすことができる。
【図面の簡単な説明】
【００１５】
本開示の実施例の技術手段をより明確に説明するために、以下、本開示の実施例の説明に必要な図面を簡単に説明する。明らかに、以下に説明される図面は、本開示のいくつかの実施例にすぎず、当業者であれば、創造的な労働をしない前提で、これらの図面に基づいて他の図面を得ることができる。
【００１６】
【図１】図１は、本開示の実施例に係る能力指示方法のフローチャートその１である。
【図２】図２は、本開示の実施例に係る能力指示方法のフローチャートその２である。
【図３】図３は、本開示の実施例に係る能力指示方法のフローチャートその３である。
【図４】図４は、本開示の実施例に係る第２指示情報を送信するフローチャートその１である。
【図５】図５は、本開示の実施例に係る第２指示情報を送信するフローチャートその２である。
【図６】図６は、本開示の実施例に係る第１情報の割り当てのフローチャートその１である。
【図７】図７は、本開示の実施例に係る第１情報の割り当てのフローチャートその２である。
【図８】図８は、本開示の実施例に係る第１情報の割り当てのフローチャートその３である。
【図９】図９は、本開示の実施例に係る端末の構造概略図その１である。
【図１０】図１０は、本開示の実施例に係るネットワーク側ネットワーク要素の構造概略図その１である。
【図１１】図１１は、本開示の実施例に係る通信装置の構造概略図である。
【図１２】図１２は、本開示の実施例に係る端末の構造概略図その２である。
【図１３】図１３は、本開示の実施例に係るネットワーク側ネットワーク要素の構造概略図その２である。
【発明を実施するための形態】
【００１７】
まず、端末の能力は無線能力とコアネットワーク能力という２種類に分類することができる。無線能力については、端末は、ネットワークの要求に応じて端末の無線能力を報告することができる。コアネットワーク能力については、端末は、登録時に端末のネットワーク能力を報告することができる。
【００１８】
端末は複数の周波数帯域（Ｂａｎｄ）と周波数（ｆｒｅｑｕｅｎｃｙ）をサポートすることができる。ＣＡ（Ｃａｒｒｉｅｒ  Ａｇｇｒｅｇａｔｉｏｎキャリアアグリゲーション）及びＤＣ（Ｄｕａｌ  Ｃｏｎｎｅｃｔｉｖｉｔｙデュアルコネクティビティ）などの技術の導入に伴い、様々な可能な周波数帯域の順列及び組合せが必要になり、また、それぞれの端末メーカーがサポートできる周波数帯域の組合せが異なる可能性があるため、無線能力が特に大きくなる。また、ネットワークの進化に伴い、ますます多くの特性がネットワークに導入され、異なる特性が異なる無線能力とネットワーク能力を必要とする場合が多い。関連するネットワーク特性について、端末はサポートするか否かの情報をネットワークに通知する必要がある。
【００１９】
一般に、出荷された各端末は、国際移動体装置識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）などの装置識別情報を持っている。ＩＭＥＩには、一般的に８桁（初期では６桁）の数字で構成される、端末ブランド及び機種を区別するコードである、ＧＳＭＡ及びその承認機構によって割り当てられるタイプ割り当てコード（Ｔｙｐｅ  Ａｌｌｏｃａｔｉｏｎ  Ｃｏｄｅ、ＴＡＣ）が含まれてよい。該ＴＡＣの先頭２桁は割り当て機構識別子（Ｒｅｐｏｒｔｉｎｇ  Ｂｏｄｙ  Ｉｄｅｎｔｉｆｉｅｒ）とも呼ばれ、ＩＭＥＩ割り当てを承認した機構のコードであり、例えば０１は米国ＣＴＩＡであり、３５は英国ＢＡＢＴであり、８６は中国ＴＡＦである。ＴＡＣにより、同じ端末機種を一意に識別することができる。同じ端末機種の端末の能力は常に同じである。
【００２０】
ＩＭＥＩには、同じ機種の端末の出荷時に使用していた異なるソフトウェアバージョンを区別できるソフトウェアバージョン番号（Ｓｏｆｔｗａｒｅ  Ｖｅｒｓｉｏｎ  Ｎｕｍｂｅｒ、ＳＶＮ）が含まれてよい。ＳＶＮは、一部のブランドの一部の機種のみに存在する。異なるＳＶＮは異なる端末能力に対応することができる。
【００２１】
ＴＡＣとＳＶＮが端末能力に対応することができるが、ＴＡＣとＳＶＮのみを端末能力の識別情報とすることは十分ではなく、以下の問題がある。
【００２２】
問題１、１つの端末は複数のネットワークへのアクセスをサポートし、各ネットワークのサポートする周波数帯域は異なる可能性がある。省エネルギーのために、同じ端末が異なるネットワークにアクセスする場合に報告する能力は異なる可能性がある。
【００２３】
問題２、現在の端末（例えば携帯電話）がデュアルカードデュアルスタンバイであることが多く、事業者によるメインカードとサブカードのネットワークアクセスに対するポリシーが異なる可能性がある。メインカードとサブカードについても、端末の報告する能力は異なる可能性がある。例えば、事業者ＵＩＣＣ又はＳＩＭカードがメインカードスロットに挿入されている場合、端末は、２Ｇネットワーク能力、３Ｇネットワーク能力、４Ｇネットワーク能力などの全ての能力を報告し、事業者ＵＩＣＣ又はＳＩＭカードがサブカードスロットに挿入されている場合、端末は２Ｇネットワーク能力のみを報告することができる。
【００２４】
問題３、事業者は、２Ｇネットワーク、３Ｇネットワーク、４Ｇネットワーク、５Ｇネットワーク、ＮＢ  ＩＯＴネットワークなどの複数のタイプのネットワークを同時に運用及び保守する可能性がある。同じ事業者の異なるタイプのネットワークのネットワーク識別子（例えばＰＬＭＮ  ＩＤ）は同じである可能性もあり異なる可能性もある。いくつかのポリシーでは、端末はあるネットワークタイプの能力を閉じる可能性がある。例えば５ＧネットワークがＩＭＳ音声をサポートしない場合に、音声を優先する端末は５Ｇ無線能力を閉じることができる。
【００２５】
上記問題から分かるように、同じ端末の異なるシーンにおける能力は異なる可能性があり、同じＴＡＣとＳＶＮを有する異なる端末の能力も異なる可能性があり、ＴＡＣとＳＶＮのみでは端末の現在の真の能力をマッピングすることができない。
【００２６】
本開示の実施例では、端末能力識別情報は端末能力を識別するために用いることができる。端末能力識別情報と端末能力との間にマッピング関係があり、端末能力識別情報により端末能力をマッピングすることができる。端末能力識別情報により、１カテゴリの端末能力又は完全な端末能力をマッピングすることができる。端末能力識別情報の大きさが端末能力より小さいため、能力シグナリングを節約し、最適化するという効果を達成することができる。
【００２７】
好ましくは、１つの端末は１つ以上の端末能力識別情報を備えてよい。
【００２８】
本開示の実施例では、サービスネットワークは、端末にアクセスを提供するネットワークであり、事業者のネットワークであってもよいし、専用ネットワークであってもよく、公衆通信ネットワークであってもよいし、プライベート通信ネットワークであってもよい。好ましくは、サービスネットワークの識別子はＰＬＭＮ又は他の識別子（例えばプライベート通信ネットワーク自身で設定した識別子）であってよい。
【００２９】
本開示の実施例では、ネットワークタイプは、通信ネットワークタイプ、無線アクセス技術のタイプ、無線アクセスネットワークのタイプ及びネットワーク世代のうちの少なくとも１つを含んでよいが、これらに限定されない。
【００３０】
好ましくは、通信ネットワークタイプは、ＧＳＭ、ＥＤＧＥ、ＧＰＲＳ、ＧＳＭ−ＣＳ、ＧＳＭ−ＰＳ、ＣＳ、ＰＳ、ＣＤＭＡ、３ＧＰＰ２  １ｘＣＳ、ＥＰＳ及び５ＧＳのうちの少なくとも１つを含んでよいが、これらに限定されない。
【００３１】
好ましくは、無線アクセス技術のタイプは、ＧＥＲＡＮ、ＧＥＲＡＮ−ＣＳ、ＧＥＲＡＮ−ＰＳ、ＥＤＧＥ、ＵＴＲＡ、ＴＤ−ＳＣＤＭＡ、ＷＣＤＭＡ（登録商標）、ＨＳＰＡ、ＣＤＭＡ、ＣＤＭＡ  ２０００、３ＧＰＰ２  １ｘＣＳ、ｃｄｍａ２０００−１ＸＲＴＴ、ＥＵＴＲＡ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲのうちの少なくとも１つを含んでよいが、これらに限定されない。
【００３２】
好ましくは、無線アクセスネットワークのタイプは、ＧＥＲＡＮ、ＧＥＲＡＮ−ＣＳ、ＧＥＲＡＮ−ＰＳ、ＥＤＧＥ、ＵＴＲＡＮ、ＴＤ−ＳＣＤＭＡ、ＷＣＤＭＡ（登録商標）、ＨＳＰＡ、ＣＤＭＡ、ＣＤＭＡ  ２０００、３ＧＰＰ２  １ｘＣＳ、ｃｄｍａ２０００−１ＸＲＴＴ、ＥＵＴＲＡＮ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲのうちの少なくとも１つを含んでよいが、これらに限定されない。
【００３３】
好ましくは、ネットワーク世代は、２Ｇネットワーク、３Ｇネットワーク、４Ｇネットワーク及び５Ｇネットワークのうちの少なくとも１つを含んでよいが、これらに限定されない。
【００３４】
本開示の実施例では、端末能力は、端末コアネットワーク能力と端末無線能力との少なくとも１つを含んでよい。端末コアネットワーク能力は端末ネットワーク能力、非アクセスネットワーク（ＮＡＳ）能力と呼ばれてもよい。
【００３５】
好ましくは、端末無線能力は、キャリアアグリゲーションＣＡ能力とデュアルコネクティビティＤＣ能力との少なくとも１つを含んでよい。
【００３６】
好ましくは、端末ネットワーク能力は、５Ｇセッション管理能力、５Ｇモビリティ管理能力、ユーザ端末ネットワーク能力（ＵＥ  Ｎｅｔｗｏｒｋ  ｃａｐａｂｉｌｉｔｙ）及び移動局ネットワーク能力（ＭＳ  Ｎｅｔｗｏｒｋ  ｃａｐａｂｉｌｉｔｙ）などの少なくとも１つを含んでよい。
【００３７】
好ましくは、端末ネットワーク能力は、５Ｇネットワーク能力、４Ｇネットワーク能力（例えばＵＥ  Ｎｅｔｗｏｒｋ  ｃａｐａｂｉｌｉｔｙ）及び３Ｇネットワーク能力（例えばＭＳ  Ｎｅｔｗｏｒｋ  ｃａｐａｂｉｌｉｔｙ）などのうちの少なくとも１つを含んでよい。
【００３８】
本開示の実施例では、「能力」と「端末能力」は、同じ意味を表すことができ、混在してもよい。
【００３９】
本開示の実施例では、「能力識別情報」と「端末能力の識別情報」は、同じ意味を表すことができ、混在してもよい。
【００４０】
本開示の実施例では、「カード」は、ＵＩＣＣ（Ｕｎｉｖｅｒｓａｌ  Ｉｎｔｅｇｒａｔｅｄ  Ｃｉｒｃｕｉｔ  Ｃａｒｄ）、ＳＩＭ（Ｓｕｂｓｃｒｉｂｅｒ  Ｉｄｅｎｔｉｔｙ  Ｍｏｄｕｌｅ）、ｅＳＩＭ、ｅＵＩＣＣであってよいが、これらに限定されない。カードは、物理的カードであってよい。さらに、第Ｎカードは、第Ｎカードスロットに設置されるサービスネットワークのカードを示すことができる。メインカードはメインカードスロットに設置されるサービスネットワークのカードを示すことができ、サブカードはサブカードスロットに設置されるサービスネットワークのカードを示すことができる。カード位置情報は、カードスロット情報と呼ばれてもよい。
【００４１】
カードは電子カードであってもよい。サービスネットワークは端末に対して複数のカードを設定することができる。
【００４２】
本開示の実施例では、端末能力の識別情報の適用範囲情報は、端末能力の識別情報の適用条件情報と、端末能力の識別情報のタイプ情報との少なくとも１つとして具現化されてよい。
【００４３】
以下、本開示の実施例における図面を参照しながら、本開示の実施例における技術手段を明確かつ完全的に説明し、明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。
【００４４】
本開示の実施例では、ネットワーク要素は、エンティティ装置、ネットワーク機能エンティティ及びネットワークユニットのうちの１つであってよい。
【００４５】
本開示の実施例では、コアネットワーク要素（ＣＮネットワーク要素）は、コアネットワーク装置、コアネットワークノード、コアネットワーク機能、コアネットワーク要素、モバイル管理エンティティ（Ｍｏｂｉｌｉｔｙ  Ｍａｎａｇｅｍｅｎｔ  Ｅｎｔｉｔｙ、ＭＭＥ）、アクセスモバイル管理機能（Ａｃｃｅｓｓ  Ｍａｎａｇｅｍｅｎｔ  Ｆｕｎｃｔｉｏｎ、ＡＭＦ）、セッション管理機能（Ｓｅｓｓｉｏｎ  Ｍａｎａｇｅｍｅｎｔ  Ｆｕｎｃｔｉｏｎ、ＳＭＦ）、ユーザプレーン機能（Ｕｓｅｒ  Ｐｌａｎｅ  Ｆｕｎｃｔｉｏｎ、ＵＰＦ）、サービングゲートウェイ（ｓｅｒｖｉｎｇ  ＧＷ、ＳＧＷ）、ＰＤＮゲートウェイ（ＰＤＮ  Ｇａｔｅ  Ｗａｙ、ＰＤＮゲートウェイ）、ポリシー制御機能（Ｐｏｌｉｃｙ  Ｃｏｎｔｒｏｌ  Ｆｕｎｃｔｉｏｎ、ＰＣＦ）、ポリシー及び課金ルール機能ユニット（Ｐｏｌｉｃｙ  ａｎｄ  Ｃｈａｒｇｉｎｇ  Ｒｕｌｅｓ  Ｆｕｎｃｔｉｏｎ、ＰＣＲＦ）、ＧＰＲＳサービスサポートノード（Ｓｅｒｖｉｎｇ  ＧＰＲＳ  Ｓｕｐｐｏｒｔ  Ｎｏｄｅ、ＳＧＳＮ）、ゲートウェイＧＰＲＳサポートノード（Ｇａｔｅｗａｙ  ＧＰＲＳ  Ｓｕｐｐｏｒｔ  Ｎｏｄｅ、ＧＧＳＮ）及び無線アクセスネットワーク装置のうちの少なくとも１つを含んでよいが、これらに限定されない。
【００４６】
本開示の実施例では、無線アクセスネットワーク要素（ＲＡＮネットワーク要素）は、無線アクセスネットワーク装置、無線アクセスネットワークノード、無線アクセスネットワーク機能、無線アクセスネットワークユニット、３ＧＰＰ無線アクセスネットワーク、非３ＧＰＰ無線アクセスネットワーク、集中型ユニット（Ｃｅｎｔｒａｌｉｚｅｄ  Ｕｎｉｔ、ＣＵ）、分散型ユニット（Ｄｉｓｔｒｉｂｕｔｅｄ  Ｕｎｉｔ、ＤＵ）、基地局、進化型基地局（ｅｖｏｌｖｅｄ  Ｎｏｄｅ  Ｂ、ｅＮＢ）、５Ｇ基地局（ｇＮＢ）、無線ネットワークコントローラ（Ｒａｄｉｏ  Ｎｅｔｗｏｒｋ  Ｃｏｎｔｒｏｌｌｅｒ、ＲＮＣ）、基地局（ＮｏｄｅＢ）、非３ＧＰＰインターワーキング機能（Ｎｏｎ−３ＧＰＰ  Ｉｎｔｅｒ  Ｗｏｒｋｉｎｇ  Ｆｕｎｃｔｉｏｎ、Ｎ３ＩＷＦ）、アクセス制御（Ａｃｃｅｓｓ  Ｃｏｎｔｒｏｌｌｅｒ、ＡＣ）ノード、アクセスポイント（Ａｃｃｅｓｓ  Ｐｏｉｎｔ、ＡＰ）装置又はワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）ノードのうちの少なくとも１つを含んでよいが、これらに限定されない。
【００４７】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、ＬＴＥにおける進化型基地局（ｅＮＢ又はｅ−ＮｏｄｅＢ、ｅｖｏｌｕｔｉｏｎａｌ  Ｎｏｄｅ  Ｂ）及び５Ｇ基地局（ｇＮＢ）であってもよく、本開示の実施例では限定しない。
【００４８】
本開示の実施例では、ネットワーク側ネットワーク要素は、ＣＮネットワーク要素とＲＡＮネットワーク要素との少なくとも１つを含んでよい。
【００４９】
本開示の実施例では、端末は、端末機能をサポートするリレーを含んでよい。端末は、端末装置又はユーザ端末（Ｕｓｅｒ  Ｅｑｕｉｐｍｅｎｔ、ＵＥ）と呼ばれてもよく、端末は、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）又は車載装置などの端末側装置であってよく、本開示の実施例では、端末の具体的なタイプを限定しない。
【００５０】
図１に示すように、本開示の実施例に係る能力指示方法は、端末（端末能力を有するリレーを含む）に適用され、以下のステップ１０１〜１０２を含む。
【００５１】
ステップ１０１では、第１情報を取得する。
【００５２】
ステップ１０２では、第１情報に基づいて、端末能力の第２指示情報を送信する。
【００５３】
ステップ１０１における取得は、設定により取得すること、受信により取得すること、要求後に受信により取得すること、又は受信した情報処理を処理した後に取得することであると理解でき、具体的には実際の必要に応じて決定することができ、本開示の実施例はこれについて限定しない。
【００５４】
ステップ１０２では、ネットワーク側ネットワーク要素と、ＣＮネットワーク要素と、ＲＡＮネットワーク要素と、リレーとの少なくとも１つに、端末能力の第２指示情報を送信することができる。端末がリレーを介してネットワークにアクセスしている場合に、端末はリレーに前記端末能力の第２指示情報を送信することができる。
【００５５】
好ましくは、該第１情報は、端末能力の第１指示情報と、第１指示情報によりマッピングされる端末能力情報との少なくとも１つを含んでよい。
【００５６】
好ましくは、該端末能力の第１指示情報は、端末機種情報と、能力指示補助情報と、端末能力の識別情報との少なくとも１つを含んでよい。
【００５７】
なお、同じ端末又は同じ機種の異なる端末の端末能力の第１指示情報は１つ以上であってよい。同じ端末又は同じ機種の異なる端末の端末能力指示補助情報は１つ以上であってよい。同じ端末又は同じ機種の異なる端末の端末能力の識別情報は１つ以上であってよい。
【００５８】
好ましくは、該端末能力の第２指示情報は、端末機種情報と、能力指示補助情報と、端末能力の識別情報との少なくとも１つを含んでよい。
【００５９】
一実施形態では、端末能力の第１指示情報は、端末機種情報と能力指示補助情報とを含む。端末機種情報及び能力指示補助情報は端末能力に一対一に対応することができる。同じ機種の異なる端末の端末能力は異なってよい。同じ端末の端末能力は異なる適用範囲（又は条件と呼ばれる）で異なってよい。同じ端末は１つ以上の能力指示補助情報を含んでよい。特定条件での端末能力をマッピングすることができるように、異なる条件に対応して、能力指示補助情報の値は異なってよく、それぞれ異なる条件での異なる端末能力に対応するために用いられてよい。異なる能力指示補助情報は異なる端末能力を指示することができる。なお、端末が異なる条件で異なる端末能力を有する場合に、端末は複数の能力指示補助情報を取得することができる。端末は異なる条件で異なる能力指示補助情報を送信することができる。特定条件が満たされた場合に、端末は、第２指示情報に、該条件での端末能力に対応する能力指示補助情報を含めるようにすることができる。
【００６０】
別の実施形態では、端末能力の第１指示情報は、端末能力の識別情報を含む。端末能力の識別情報は端末能力に一対一に対応することができる。同じ機種の異なる端末の端末能力は異なってよい。同じ端末の端末能力は異なる適用範囲（又は条件と呼ばれる）で異なってよい。同じ端末は１つ以上の端末能力の識別情報を含んでよい。特定条件での端末能力をマッピングすることができるように、異なる条件に対応して、端末能力の識別情報の値は異なってよい。異なる端末能力の識別情報は異なる端末能力を指示することができる。なお、端末が異なる条件で異なる端末能力を有する場合に、端末は複数の端末能力の識別情報を取得することができる。特定条件が満たされた場合に、端末は、第２指示情報に、該条件での端末能力に対応する端末能力の識別情報を含めるようにすることができる。
【００６１】
さらに、端末能力の第１指示情報又は端末能力の第２指示情報は、端末のサポートする端末能力を指示することができ、及び／又は端末のサポートしない端末能力を指示することができる。一実施形態では、第１指示情報は、端末のサポートする端末能力によりマッピングされる指示情報と、端末のサポートしない端末能力によりマッピングされる指示情報との少なくとも１つを含む。
【００６２】
さらに、能力指示補助情報は、端末のサポートする端末能力及び／又は端末のサポートしない能力をマッピングするために用いることができる。一実施形態では、第１指示情報は、端末のサポートする端末能力によりマッピングされる能力指示補助情報と、端末のサポートしない端末能力によりマッピングされる能力指示補助情報と、の少なくとも１つを含む。
【００６３】
さらに、端末能力の識別情報は、端末のサポートする端末能力及び／又は端末のサポートしない能力をマッピングするために用いることができる。一実施形態では、第１指示情報は、端末のサポートする端末能力によりマッピングされる端末能力の識別情報と、端末のサポートしない端末能力によりマッピングされる端末能力の識別情報と、の少なくとも１つを含む。
【００６４】
なお、該端末能力の第１指示情報と該端末能力の第２指示情報は、同じであってもよいし、異なってもよい。一実施形態では、該端末能力の第１指示情報は、端末能力の識別情報と、端末能力の識別情報の適用範囲情報とを含んでよく、該端末能力の第２指示情報は、端末能力の識別情報を含んでよいが、能力識別子の適用範囲情報を含まなくてもよい。なお、第１指示情報における端末能力の識別情報の適用範囲情報により、第２指示情報に含まれるべき端末能力の識別情報を確認することができる。端末能力の識別情報により、ネットワークがマッピングにより端末能力情報を得ることを支援することができる。別の実施形態では、該端末能力の第１指示情報及び端末能力の第２指示情報は、いずれも、端末機種情報及び能力指示補助情報を含んでよい。なお、第１指示情報における能力指示補助情報により、第２指示情報に含まれるべき能力指示補助情報を確認することができる。端末機種情報及び能力指示補助情報により、ネットワークがマッピングにより端末能力情報を得ることを支援することができる。
【００６５】
好ましくは、端末機種情報は、端末メーカー識別子と、タイプ割り当てコード（例えばＴＡＣ）と、ソフトウェアバージョン番号（例えばＳＶＮ）との少なくとも１つを含んでよい。
【００６６】
好ましくは、能力指示補助情報は、能力に対応するカードスロット情報と、能力に対応するカード情報（例えば、物理的カードのカード情報、電子カードのカード情報）と、能力に対応するサービスネットワーク情報と、能力に対応するネットワークタイプ情報と、能力タイプ指示情報との少なくとも１つを含んでよい。
【００６７】
さらに、能力に対応するカードスロット情報は、カードスロットの識別情報と、カードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含んでよい。理解できるように、具体的に実現する場合に、第１カードスロットは、端末のメインカードに対応するカードスロットであってよく、第２カードスロットは、端末のサブカードに対応するカードスロットであってよい。
【００６８】
一実施形態では、端末のカードスロット情報は、メインカードのカードスロット情報と、サブカードのカードスロット情報とにさらに区別されてよい。なお、能力に対応するカードスロット情報により、ネットワークが端末の、対応するカードスロットにおいて対応する端末能力をマッピングすることを支援することができる。
【００６９】
さらに、能力に対応するカード情報は、カードの番号と、カードが位置するカードスロットの番号と、メインカード又はサブカードの指示情報と、能力が全てのカードに適用するか否かを示す指示情報と、能力がカードを区別しないか否かを示す指示情報との少なくとも１つを含んでよい。なお、能力に対応するカード情報により、ネットワークが端末の、対応するカードにおいて対応する端末能力をマッピングすることを支援することができる。
【００７０】
さらに、能力タイプ指示情報は、無線能力指示情報とネットワーク能力指示情報との少なくとも１つを含んでよい。
【００７１】
さらに、能力に対応するサービスネットワーク情報は、サービスネットワークのネットワーク識別情報と、能力が全てのサービスネットワークに適用するか否かを示す指示情報と、能力がサービスネットワークを区別しないか否かを示す指示情報との少なくとも１つを含んでよい。
【００７２】
さらに、ネットワーク識別情報は、公衆通信ネットワーク識別子（例えば、ＰＬＭＮ）、プライベート通信ネットワーク識別子（例えば、ＴｙｐｅＡネットワーク識別子、ＴｙｐｅＢネットワーク識別子）を含んでよい。
【００７３】
なお、ネットワーク識別情報により、ネットワークが端末の、異なるネットワークにおけるそれぞれ対応する端末能力をマッピングすることを支援することができる。例えば、同じ端末は、ローミング場合とホームネットワークにアクセスする場合の端末能力が異なる可能性があり、同じ機種の異なる端末に対して、同じネットワークにアクセスし、１つの端末がローミングであり、他の１つの端末がホームネットワークにアクセスする場合に、端末能力は同じであってよい。また例えば、無線アクセスネットワークが複数の事業者ネットワークに共有される場合に、無線アクセスネットワークはネットワーク識別情報に基づいて端末がアクセスするネットワーク能力を知ることができる。また例えば、等価ネットワークである場合に、端末のネットワーク識別情報（例えばＰＬＭＮ）が変更されると、異なる端末能力をマッピングすることができる。
【００７４】
さらに、能力に対応するネットワークタイプ情報は、ネットワークタイプと、能力が全てのネットワークタイプに適用するか否かを示す指示情報と、能力がネットワークタイプを区別しないか否かを示す指示情報との少なくとも１つを含んでよい。ネットワークタイプ情報は、端末の現在サポートするネットワークタイプの能力又は端末のサポートしないネットワークタイプの能力を指示することができる。
【００７５】
なお、ネットワークタイプ情報により、ネットワークを介して、端末の異なるネットワークタイプにおける端末能力をマッピングすることができる。例えば、同じ機種の異なる端末に対して、１つの端末はデータ優先（ｄａｔａ  ｃｅｎｔｒｉｃ）であり、５Ｇネットワーク能力を開くことができ、他の１つの端末は音声優先（ｖｏｉｃｅ  ｃｅｎｔｒｉｃ）であり、５Ｇネットワークが音声をサポートしないことを確認すると、５Ｇネットワーク能力を閉じる可能性がある。
【００７６】
さらに、端末能力はサービスネットワーク、カード、カードスロット、ネットワークタイプのうちの１つ又は複数の組み合わせに対応する端末能力であってよい。端末能力指示情報はサービスネットワーク、カード、カードスロット、ネットワークタイプのうちの１つ又は複数の組み合わせに対応する端末能力指示情報であってよい。例えば、中国移動メインカードの端末能力識別情報は２、３及び４であれば、端末がメインカードにより中国移動ネットワークにアクセスする場合に有する２Ｇネットワーク能力、３Ｇネットワーク能力と４Ｇネットワーク能力をそれぞれマッピングする。例えば、中国移動メインカードの端末能力識別情報は１、４及び５であれば、端末がメインカードにより中国移動ネットワークにアクセスする場合に有する２Ｇネットワーク能力及び３Ｇネットワーク能力（１）、４Ｇネットワーク能力（４）と５Ｇネットワーク能力（５）をそれぞれマッピングすることができる。１つの識別子を用いて２Ｇ及び３Ｇネットワークの能力をマッピングすることができる。
【００７７】
好ましくは、端末能力の識別情報は、能力識別子と能力識別子の適用範囲情報との少なくとも１つを含んでよい。
【００７８】
さらに、能力識別子は、端末機種情報と、能力識別子の適用範囲情報と、端末能力からハッシュ関数により生成した短縮値との少なくとも１つを含んでよい。
【００７９】
一実施形態では、端末の能力識別情報は、端末無線能力の能力識別情報と、端末コアネットワーク能力の能力識別情報とにさらに区別されてよい。端末無線能力の能力識別情報は、ＤＣ能力の能力識別情報と、ＣＡ能力の能力識別情報と、他の能力の能力識別情報との少なくとも１つにさらに区別されてよい。一実施形態では、ＤＣとＣＡ能力のみに識別子が割り当てられてマッピングされる。
【００８０】
一実施形態では、端末の能力識別情報は、サービスネットワークに対応する能力識別情報と、ネットワークタイプに対応する能力識別情報と、カードに対応する能力識別情報との少なくとも１つにさらに区分されもよい。
【００８１】
一実施形態では、カードスロットに対応する能力識別情報は、第１カードスロットに対応する能力識別情報と第２カードスロットに対応する能力識別情報とにさらに区別されてよい。
【００８２】
なお、具体的に実現する場合に、第Ｎカードは、第Ｎカードスロットに位置する物理的カード又は第Ｎ電子カードであってよい。第１カードは端末のメインカードであってよく、第２カードは端末のサブカードであってよい。第１カードスロットは、端末のメインカードに対応するカードスロットであってよく、第２カードスロットは、端末のサブカードに対応するカードスロットであってよい。これに対応して、第１カードはメインカードであってよく、第２カードはサブカードであってよい。
【００８３】
サービスネットワークに対応する能力識別情報は、ネットワーク（公衆通信ネットワーク又はプライベート通信ネットワークであってよい）に対して設定した能力識別情報であってよい。ネットワークタイプに対応する能力識別情報は、端末の１つ以上のサービスネットワークにおける能力を指示することができる。異なるネットワークタイプの能力識別情報は異なってよい。なお、同じ端末は、ローミング場合とホームネットワークにアクセスする場合の端末能力が異なる可能性があり、サービスネットワークに対応する能力識別情報により、ネットワークが端末の、現在アクセスするネットワークにおける端末能力をマッピングすることを支援することができる。
【００８４】
一実施形態では、サービスネットワークに対応する能力識別情報は、サービスネットワークの各カード（例えば、第Ｎカード）にそれぞれに対応する能力識別情報と、サービスネットワークの各ネットワークタイプにそれぞれに対応する能力識別情報と、サービスネットワークのメインカードに対応する能力識別情報と、サービスネットワークのサブカードに対応する能力識別情報との少なくとも１つにさらに区分されてよい。
【００８５】
一実施形態では、サービスネットワークの第Ｎカードに対応する能力識別情報は、サービスネットワークの第Ｎカードの、サービスネットワークの各ネットワークタイプにおいてそれぞれ対応する能力識別情報にさらに区別されてよい。
【００８６】
ネットワークタイプに対応する能力識別情報は、端末の１つ以上のネットワークタイプにおける能力を指示することができる。異なるネットワークタイプの能力識別情報は異なってよい。なお、ネットワークタイプに対応する能力識別情報により、ネットワークが端末の、異なるネットワークタイプにおける端末能力をマッピングすることを支援することができる。
【００８７】
さらに、能力識別子の適用範囲情報は、能力識別子に対応するカード情報と、能力識別子に対応するカードスロット情報と、能力識別子に対応するサービスネットワーク情報と、能力識別子に対応するネットワークタイプ情報との少なくとも１つを含んでよい。一実施形態では、能力識別子の適用範囲情報と能力の適用範囲情報とは一致する。能力の適用範囲情報は能力指示の補助情報と呼ばれてもよい。
【００８８】
具体的には、端末能力の第１指示情報が端末能力の識別情報の適用範囲情報を含む場合に、端末能力の識別情報の適用範囲情報は、端末能力の識別情報の適用条件情報として具現化されてよい。
【００８９】
具体的には、端末能力の第２指示情報が端末能力の識別情報の適用範囲情報を含む場合に、端末能力の識別情報の適用範囲情報は、端末能力の識別情報のタイプ情報として具現化されてよい。
【００９０】
さらに、能力識別子に対応するカード情報は、カードの番号と、カードが位置するカードスロット情報と、メインカード又はサブカードの指示情報と、能力が全てのカードに適用するか否かを示す指示情報と、能力がカードを区別しないか否かを示す指示情報との少なくとも１つを含んでよい。なお、能力に対応するカード情報により、ネットワークが端末の、対応するカードにおいて対応する端末能力をマッピングすることを支援することができる。
【００９１】
さらに、能力識別子に対応するカードスロット情報は、カードスロットの識別情報と、カードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含んでよい。
【００９２】
理解できるように、具体的に実現する場合に、第１カードスロットは、端末のメインカードに対応するカードスロットであってよく、第２カードスロットは、端末のサブカードに対応するカードスロットであってよい。一実施形態では、端末のカードスロット情報は、メインカードのカードスロット情報と、サブカードのカードスロット情報とにさらに区別されてよい。なお、能力に対応するカードスロット情報により、ネットワークが端末の、対応するカードスロットにおいて対応する端末能力をマッピングすることを支援することができる。
【００９３】
さらに、能力識別子に対応するサービスネットワーク情報は、サービスネットワークのネットワーク識別情報と、能力識別子が全てのサービスネットワークに適用するか否かを示す指示情報と、能力識別子がサービスネットワークを区別しないか否かを示す指示情報との少なくとも１つを含んでよい。
【００９４】
さらに、能力識別子に対応するネットワークタイプ情報は、ネットワークタイプと、能力識別子が全てのネットワークタイプに適用するか否かを示す指示情報と、能力識別子がネットワークタイプを区別しないか否かを示す指示情報との少なくとも１つを含む。
【００９５】
本開示の実施例では、第１情報に基づいて、端末能力の第２指示情報を送信するステップ１０２は、
第１情報及び端末のアクセス情報に基づいて、端末能力の第２指示情報を送信することをさらに含む。
【００９６】
該端末のアクセス情報は、
端末がアクセスするサービスネットワークと、端末のサービスネットワークにアクセスするカードの位置と、端末のサービスネットワークにアクセスするカードが位置するカードスロットと、端末が第Ｎカードによりサービスネットワークにアクセスすることと、端末がアクセスするサービスネットワークのネットワークタイプとの少なくとも１つを含んでよい。
【００９７】
好ましくは、端末が端末能力の第２指示情報を送信する前に、
第１情報に基づいて、該第２指示情報を選択するステップを含んでよい。
【００９８】
さらに、第１情報に基づいて、該第２指示情報を選択するステップは、
能力指示補助情報及び／又は端末のアクセス情報に基づいて、端末能力指示補助情報を選択して第２指示情報に含ませることと、
端末能力識別子の適用範囲及び／又は端末のアクセス情報に基づいて、端末能力の識別情報を選択して第２指示情報に含ませることと、の少なくとも１つを含んでよい。
【００９９】
第１情報及び端末のアクセス情報に基づいて、端末能力の第２指示情報を選択する。
【０１００】
一実施形態では、第１指示情報に複数の能力指示補助情報が含まれる場合に、端末は、端末能力指示補助情報及び／又は端末のアクセス情報に基づいて、端末能力指示補助情報を選択して第２指示情報に含ませ、かつ第２指示情報を送信することができる。
【０１０１】
別の実施形態では、第１指示情報に複数の端末能力識別情報が含まれる場合に、端末は、端末能力識別の適用範囲及び／又は端末のアクセス情報に基づいて、端末能力の識別情報を選択して第２指示情報に含ませ、かつ第２指示情報を送信することができる。
【０１０２】
別の実施形態では、第１指示情報が複数である場合に、端末は、第１情報及び端末のアクセス情報に基づいて、端末能力の第２指示情報を選択し、かつ第２指示情報を送信することができる。
【０１０３】
一実施形態では、第１指示情報は、それぞれ異なる端末能力をマッピングする複数の端末能力指示補助情報を含んでよい。端末能力指示補助情報に基づいて、条件に合致する能力補助情報を選択して第２指示情報に含ませることができる。
【０１０４】
別の実施形態では、第１指示情報は、それぞれ異なる端末能力をマッピングする複数の端末能力の識別情報を含む。端末能力識別情報の適用範囲情報に基づいて、条件に合致する端末能力識別情報を選択して第２指示情報に含ませることができる。
【０１０５】
具体的には、上記端末能力の第２指示情報を送信するプロセスは、
端末が第Ｎカードにより第１ネットワークにアクセスする場合に、前記第Ｎカードに対応する能力識別情報を送信することと、
端末が第Ｎカードにより第１ネットワークにアクセスする場合に、前記第１ネットワークの第Ｎカードに対応する能力識別情報を送信することと、
端末が第Ｎカードにより第１ネットワークにアクセスする場合に、前記第１ネットワークの第Ｎカードに対応する、前記端末の前記第１ネットワークの１つ以上のネットワークタイプにおいて対応する能力識別情報を含む能力識別情報を送信することと、
端末が第１ネットワークにアクセスする場合に、前記第１ネットワークに対応する能力識別情報を送信することと、
端末が第１ネットワークにアクセスする場合に、前記端末の前記第１ネットワークの１つ以上のネットワークタイプにおいて対応する能力識別情報を送信することと、
端末が第１ネットワークタイプのネットワークにアクセスする場合に、前記第１ネットワークタイプにおいて対応する能力識別情報を送信することと、の少なくとも１つを含み、
Ｎは１以上の正の整数であり、前記第１ネットワークの第Ｎカードは、前記端末の第Ｎカードスロットに装着される前記第１ネットワークのカード（例えば、物理的カード）又は第１ネットワークが終端に対して設定した第Ｎカード（例えば電子カード）であってよい。例えば、上記Ｎは１又は２に等しくてよく、第１カードをメインカードとし、第２カードをサブカードとしてよい。
【０１０６】
理解できるように、上記第１ネットワークは、端末が接続されるある具体的なネットワークを指すのみであり、本開示の実施例を限定するものではない。
【０１０７】
例えば、端末Ａは、メインカード及びサブカードにより第１ネットワークにアクセスすることができる。端末Ａがメインカードにより第１ネットワーク（例えば、中国移動ネットワーク）にアクセスする場合に、第１ネットワークのメインカードに対応する能力識別情報を送信することができる。第１ネットワークのメインカードに対応する能力識別情報は１つ以上の能力識別子であってよい。第１ネットワークのメインカードに対応する能力識別情報は、２Ｇネットワークに対応する能力識別情報、３Ｇネットワークに対応する能力識別情報、４Ｇネットワークに対応する能力識別情報のような、端末の前記第１ネットワークの１つ以上のネットワークタイプにおいて対応する能力識別情報で構成されてよい。
【０１０８】
この３つの能力識別子のそれぞれ対応する適用範囲は、第１ネットワーク、メインカード及び２Ｇであるネットワークタイプに適用される能力識別子と、第１ネットワーク、メインカード及び３Ｇであるネットワークタイプに適用される能力識別子と、第１ネットワーク、メインカード及び４Ｇであるネットワークタイプに適用される能力識別子とであってよい。
【０１０９】
端末がサブカードにより第１ネットワークにアクセスする場合に、第１ネットワークのサブカードに対応する能力識別情報を送信することができる。第１ネットワークのサブカードに対応する能力識別情報は、２Ｇネットワークに対応する能力識別情報のような、端末の前記第１ネットワークの１つ以上のネットワークタイプにおいて対応する能力識別情報で構成されてよい。該能力識別子の適用範囲は、第１ネットワーク、サブカード及び３Ｇネットワークであるネットワークタイプに適用される能力識別子であってよい。
【０１１０】
本開示の一実施形態では、好ましくは、端末能力の第２指示情報を送信するステップ１０２は、
端末がネットワークにアクセスする場合に、端末能力の第２指示情報を送信すること、
又は、
ネットワークが端末の能力情報を要求する場合に、前記端末能力の第２指示情報を送信することをさらに含んでよい。
【０１１１】
好ましくは、本開示の実施例での端末能力は、端末コアネットワーク能力と端末無線能力との少なくとも１つを含んでよい。
【０１１２】
好ましくは、端末無線能力は、キャリアアグリゲーション能力とデュアルコネクティビティ能力との少なくとも１つを含んでよい。
【０１１３】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる。他方で、同じ端末が異なる条件で異なる端末能力に対応するという需要を満たすことができる。
【０１１４】
一実施形態では、端末能力報告の代わりに端末機種情報及び能力指示補助情報を用いる。端末が異なる適用範囲（条件と呼ばれる）で異なる対応する端末能力を有する場合に、端末に対して異なる能力指示補助情報を設定して、端末機種情報及び能力指示補助情報が端末能力に一対一に対応するよう保証することができる。端末は異なる条件で異なる能力指示補助情報を送信することができる。特定条件が満たされた場合に、端末は、該条件に合致する能力指示補助情報を送信する。
【０１１５】
別の実施形態では、端末能力報告の代わりに能力識別情報を用いる。端末が異なる適用範囲（条件と呼ばれる）で異なる端末能力を有する場合に、同じ端末に複数の能力識別情報を設定し、かつ端末能力識別情報が端末能力に一対一に対応するよう保証することができる。端末は異なる条件で異なる能力識別情報を送信することができる。特定条件が満たされた場合に、端末は、該条件に合致する能力識別情報を送信する。
【０１１６】
したがって、さらに、能力指示情報に基づいて端末能力を正確にマッピングするよう保証することができる。他方で、同じ端末が異なる条件で異なる端末能力に対応するという需要を満たすことができる。
【０１１７】
図２に示すように、本開示の実施例に係る能力指示方法は、第１ネットワーク側ネットワーク要素に適用され、以下のステップ２０１〜２０２を含む。
【０１１８】
ステップ２０１では、端末能力の第２指示情報を取得する。
【０１１９】
好ましくは、該端末能力の第２指示情報は、端末機種情報と、能力指示補助情報と、端末能力の識別情報との少なくとも１つを含んでよい。
【０１２０】
ステップ２０２では、端末能力の第２指示情報に基づいて端末能力をマッピングすること、端末能力の第２指示情報を記憶すること、及び第１対象端に端末能力の第２指示情報を送信することの少なくとも１つを、端末能力の第２指示情報に基づいて、実行する。
【０１２１】
好ましくは、前記端末能力は、端末コアネットワーク能力と端末無線能力との少なくとも１つを含んでよい。
【０１２２】
好ましくは、前記端末無線能力は、キャリアアグリゲーションＣＡ能力とデュアルコネクティビティＤＣ能力との少なくとも１つを含んでよい。
【０１２３】
なお、該第１ネットワーク側ネットワーク要素は、ＲＡＮネットワーク要素とＣＮネットワーク要素との少なくとも１つであってもよい。該ＣＮネットワーク要素は、ＡＭＦと、ＰＣＦと、ＰＣＲＦと、ＯＡＭと、能力管理機能ネットワークとの少なくとも１つであってよい。ＲＡＮネットワーク要素は、ｇＮＢとｅＮＢとの少なくとも１つであってよい。第１対象端は、端末とＣＮネットワーク要素の少なくとも１つを含んでよい。
【０１２４】
好ましくは、該端末能力の第２指示情報は、端末機種情報と、能力指示補助情報と、端末能力の識別情報との少なくとも１つを含んでよい。
【０１２５】
さらに、端末機種情報は、端末メーカー識別子と、タイプ割り当てコード（例えばＴＡＣ）と、ソフトウェアバージョン番号（例えばＳＶＮ）との少なくとも１つを含んでよい。
【０１２６】
好ましくは、能力指示補助情報は、能力に対応するカードスロット情報と、能力に対応するカード情報（例えば、物理的カードのカード情報、電子カードのカード情報）と、能力に対応するサービスネットワーク情報と、能力に対応するネットワークタイプ情報と、能力タイプ指示情報との少なくとも１つを含んでよい。
【０１２７】
さらに、能力に対応するカードスロット情報は、カードスロットの識別情報と、カードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含んでよい。理解できるように、具体的に実現する場合に、第１カードスロットは、端末のメインカードに対応するカードスロットであってよく、第２カードスロットは、端末のサブカードに対応するカードスロットであってよい。
【０１２８】
一実施形態では、端末のカードスロット情報は、メインカードのカードスロット情報と、サブカードのカードスロット情報とにさらに区別されてよい。なお、能力に対応するカードスロット情報により、ネットワークが端末の、対応するカードスロットにおいて対応する端末能力をマッピングすることを支援することができる。
【０１２９】
さらに、能力に対応するカード情報は、カードの番号と、カードが位置するカードスロットの番号と、メインカード又はサブカードの指示情報と、能力が全てのカードに適用するか否かを示す指示情報と、能力がカードを区別しないか否かを示す指示情報との少なくとも１つを含んでよい。なお、能力に対応するカード情報により、ネットワークが端末の、対応するカードにおいて対応する端末能力をマッピングすることを支援することができる。
【０１３０】
さらに、能力タイプ指示情報は、無線能力指示情報とネットワーク能力指示情報との少なくとも１つを含んでよい。
【０１３１】
さらに、能力に対応するサービスネットワーク情報は、サービスネットワークのネットワーク識別情報と、能力が全てのサービスネットワークに適用するか否かを示す指示情報と、能力がサービスネットワークを区別しないか否かを示す指示情報との少なくとも１つを含んでよい。さらに、ネットワーク識別情報は、公衆通信ネットワーク識別子（例えば、ＰＬＭＮ）、プライベート通信ネットワーク識別子（例えば、ＴｙｐｅＡネットワーク識別子、ＴｙｐｅＢネットワーク識別子）を含んでよい。
【０１３２】
さらに、能力に対応するネットワークタイプ情報は、ネットワークタイプと、能力が全てのネットワークタイプに適用するか否かを示す指示情報と、能力がネットワークタイプを区別しないか否かを示す指示情報との少なくとも１つを含んでよい。ネットワークタイプ情報は、端末の現在サポートするネットワークタイプの能力又は端末のサポートしないネットワークタイプの能力を指示することができる。
【０１３３】
好ましくは、端末能力の識別情報は、能力識別子と能力識別子の適用範囲情報との少なくとも１つを含んでよい。
【０１３４】
さらに、能力識別子は、端末機種情報と、能力識別子の適用範囲情報と、端末能力からハッシュ関数により生成した短縮値との少なくとも１つを含んでよい。
【０１３５】
一実施形態では、端末の能力識別情報は、端末無線能力の能力識別情報と、端末コアネットワーク能力の能力識別情報とにさらに区別されてよい。端末無線能力の能力識別情報は、ＤＣ能力の能力識別情報と、ＣＡ能力の能力識別情報と、他の能力の能力識別情報との少なくとも１つにさらに区別されてよい。一実施形態では、ＤＣとＣＡ能力のみに識別子が割り当てられてマッピングされる。
【０１３６】
一実施形態では、端末の能力識別情報は、サービスネットワークに対応する能力識別情報と、ネットワークタイプに対応する能力識別情報と、カードに対応する能力識別情報と、カードスロットに対応する能力識別情報との少なくとも１つにさらに区分されてよい。
【０１３７】
一実施形態では、カードスロットに対応する能力識別情報は、第１カードスロットに対応する能力識別情報と、第２カードスロットに対応する能力識別情報とにさらに区別されてよい。
【０１３８】
なお、具体的に実現する場合に、第Ｎカードは、第Ｎカードスロットに位置する物理的カード又は第Ｎ電子カードであってよい。第１カードは端末のメインカードであってよく、第２カードは端末のサブカードであってよい。第１カードスロットは、端末のメインカードに対応するカードスロットであってよく、第２カードスロットは、端末のサブカードに対応するカードスロットであってよい。これに対応して、第１カードはメインカードであってよく、第２カードはサブカードであってよい。
【０１３９】
サービスネットワークに対応する能力識別情報は、ネットワーク（公衆通信ネットワーク又はプライベート通信ネットワークであってよい）に対して設定した能力識別情報であってよい。なお、同じ端末は、ローミング場合とホームネットワークにアクセスする場合の端末能力が異なる可能性があり、サービスネットワークに対応する能力識別情報により、ネットワークが端末の、現在アクセスするネットワークにおける端末能力をマッピングすることを支援することができる。
【０１４０】
一実施形態では、サービスネットワークに対応する能力識別情報は、サービスネットワークの各カード（例えば、第Ｎカード）にそれぞれに対応する能力識別情報と、サービスネットワークの各ネットワークタイプにそれぞれに対応する能力識別情報と、サービスネットワークのメインカードに対応する能力識別情報と、サービスネットワークのサブカードに対応する能力識別情報との少なくとも１つにさらに区分されてよい。
【０１４１】
一実施形態では、サービスネットワークの第Ｎカードに対応する能力識別情報は、サービスネットワークの第Ｎカードの、サービスネットワークの各ネットワークタイプにおいてそれぞれ対応する能力識別情報にさらに区別されてよい。
【０１４２】
ネットワークタイプに対応する能力識別情報は、端末のあるネットワークタイプにおける能力を指示することができる。なお、ネットワークタイプに対応する能力識別情報により、ネットワークが端末の、異なるネットワークタイプにおける端末能力をマッピングすることを支援することができる。
【０１４３】
さらに、能力識別子の適用範囲情報は、能力識別子に対応するカード情報と、能力識別子に対応するカードスロット情報と、能力識別子に対応するサービスネットワーク情報と、能力識別子に対応するネットワークタイプ情報との少なくとも１つを含んでよい。一実施形態では、能力識別子の適用範囲情報と能力の適用範囲情報とは一致する。能力の適用範囲情報は能力指示の補助情報と呼ばれてもよい。
【０１４４】
さらに、能力識別子に対応するカード情報は、カードの番号と、カードが位置するカードスロット情報と、メインカード又はサブカードの指示情報と、能力が全てのカードに適用するか否かを示す指示情報と、能力がカードを区別しないか否かを示す指示情報との少なくとも１つを含んでよい。なお、能力に対応するカード情報により、ネットワークが端末の、対応するカードにおいて対応する端末能力をマッピングすることを支援することができる。
【０１４５】
さらに、能力識別子に対応するカードスロット情報は、カードスロットの識別情報と、カードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含んでよい。理解できるように、具体的に実現する場合に、第１カードスロットは、端末のメインカードに対応するカードスロットであってよく、第２カードスロットは、端末のサブカードに対応するカードスロットであってよい。一実施形態では、端末のカードスロット情報は、メインカードのカードスロット情報と、サブカードのカードスロット情報とにさらに区別されてよい。なお、能力に対応するカードスロット情報により、ネットワークが端末の、対応するカードスロットにおいて対応する端末能力をマッピングすることを支援することができる。
【０１４６】
さらに、能力識別子に対応するサービスネットワーク情報は、サービスネットワークのネットワーク識別情報と、能力識別子が全てのサービスネットワークに適用するか否かを示す指示情報と、能力識別子がサービスネットワークを区別しないか否かを示す指示情報との少なくとも１つを含んでよい。
【０１４７】
さらに、能力識別子に対応するネットワークタイプ情報は、ネットワークタイプと、能力識別子が全てのネットワークタイプに適用するか否かを示す指示情報と、能力識別子がネットワークタイプを区別しないか否かを示す指示情報との少なくとも１つを含む。
【０１４８】
理解できるように、第１ネットワーク側ネットワーク要素は、端末と、ＲＡＮネットワーク要素と、ＣＮネットワーク要素との少なくとも１つから、端末能力の第２指示情報を取得することができる。一実施形態では、第１ＲＡＮネットワーク要素は、端末から第２指示情報を受信した後、ＣＮネットワーク要素と、第２ＲＡＮネットワーク要素との少なくとも１つに該第２指示情報を送信することができる。例えば、第１ＲＡＮネットワーク要素から第２ＲＡＮネットワーク要素に切り替える場合、又は第２ＲＡＮネットワーク要素が第１ＲＡＮネットワーク要素からコンテキストを取得するフローにおいて、第１ＲＡＮネットワーク要素は第２ＲＡＮネットワーク要素に該第２指示情報を送信する。
【０１４９】
別の実施形態では、第１ＣＮネットワーク要素は、端末から第２指示情報を受信した後、ＣＮネットワーク要素と、第２ＲＡＮネットワーク要素との少なくとも１つに該第２指示情報を送信することができる。例えば、第１ＣＮネットワーク要素から第２ＣＮネットワーク要素に切り替える場合、又は第２ＣＮネットワーク要素が第１ＣＮネットワーク要素からコンテキストを取得するフローにおいて、第１ＣＮネットワーク要素は第２ＣＮネットワーク要素に該第２指示情報を送信する。
【０１５０】
さらに、端末能力の第２指示情報に基づいて端末能力をマッピングすることは、
端末機種情報及び能力補助情報に基づいて端末能力をマッピングすることと、
能力識別情報に基づいて端末能力をマッピングすることとの少なくとも１つを含んでよい。
【０１５１】
一実施形態では、端末の異なるネットワークタイプの能力は、それぞれ異なる能力補助情報に対応することができる。異なる能力識別子と端末機種情報を組み合わせて、異なる端末能力をマッピングすることができる。
【０１５２】
一実施形態では、端末の異なるネットワークタイプの能力はそれぞれ異なる能力識別情報に対応することができる。異なる能力識別情報は異なる端末能力をマッピングすることができる。
【０１５３】
理解できるように、本開示の実施例では、端末能力報告の代わりに端末能力指示情報を用いることにより、端末能力シグナリングを最適化し、端末能力報告によるオーバーヘッドを減少させることができる。他方で、複数タイプの能力指示補助情報又は複数の端末能力識別情報の設定により、特定条件が満たされた場合に、該条件に合致する能力指示補助情報又は端末能力識別情報を提供することができ、同じ端末又は同じ機種の端末が異なる条件で異なる端末能力に対応するという需要を満たすことができる。
【０１５４】
一実施形態では、端末能力報告の代わりに端末機種情報及び能力指示補助情報を用いる。端末が異なる適用範囲（条件と呼ばれる）で異なる対応する端末能力を有する場合に、端末に対して異なる能力指示補助情報を設定して、端末機種情報及び能力指示補助情報が端末能力に一対一に対応するよう保証することができる。端末は異なる条件で異なる能力指示補助情報を送信することができる。特定条件が満たされた場合に、端末は、該条件に合致する能力指示補助情報を送信する。ネットワークは能力指示補助情報をマッピングすることにより端末の能力を取得する。
【０１５５】
別の実施形態では、端末能力報告の代わりに能力識別情報を用いる。端末が異なる適用範囲（条件と呼ばれる）にある場合に、同じ端末に複数の能力識別情報を設定し、かつ端末能力識別情報が端末能力に一対一に対応するよう保証することができる。端末は異なる条件で異なる能力識別情報を送信することができる。特定条件が満たされた場合に、端末は、該条件に合致する能力識別情報を送信する。ネットワークは能力識別情報をマッピングすることにより端末の能力を取得する。
【０１５６】
図３に示すように、本開示の実施例に係る能力指示方法は、通信装置に適用され、以下のステップ３０１〜３０２を含む。
【０１５７】
ステップ３０１では、端末能力に関連する情報を取得する。
【０１５８】
ステップ３０２では、端末能力に関連する情報に基づいて、第１情報を端末に割り当てる。
【０１５９】
前記第１情報は、端末能力の第１指示情報と、第１指示情報によりマッピングされる端末能力情報との少なくとも１つを含んでよい。
【０１６０】
好ましくは、前記端末能力に関連する情報は、端末機種情報と、能力指示補助情報と、端末能力情報との少なくとも１つを含んでよい。
【０１６１】
一実施形態では、同じ機種の異なる端末の端末能力は一カテゴリの端末能力又は複数カテゴリの端末能力であってよい。
【０１６２】
一実施形態では、同じ端末の端末能力は一カテゴリの端末能力又は複数カテゴリの端末能力であってよい。
【０１６３】
該端末能力の第１指示情報に含まれる内容は図１の実施例において説明した示すとおりである。
【０１６４】
好ましくは、該端末能力の第１指示情報は、端末機種情報と、能力指示補助情報と、端末能力の識別情報との少なくとも１つを含んでよい。
【０１６５】
一実施形態では、端末能力の第１指示情報は、端末機種情報と能力指示補助情報とを含む。端末機種情報及び能力指示補助情報は端末能力に一対一に対応することができる。同じ機種の異なる端末の端末能力は異なってよい。同じ端末の端末能力は異なる適用範囲（又は条件と呼ばれる）で異なってよい。同じ端末は１つ以上の能力指示補助情報を含んでよい。特定条件での端末能力をマッピングすることができるように、異なる条件に対応して端末に割り当てた能力指示補助情報は異なってよく、それぞれ異なる条件での異なる端末能力に対応するために用いられてよい。異なる能力指示補助情報は異なる端末能力を指示することができる。なお、端末が異なる条件で異なる端末能力を有する場合に、端末に複数の能力指示補助情報を割り当てることができる。特定条件が満たされた場合に、端末は、第２指示情報に、該条件での端末能力に対応する能力指示補助情報を含めるようにすることができる。
【０１６６】
別の実施形態では、端末能力の第１指示情報は、端末能力の識別情報を含む。端末能力の識別情報は端末能力に一対一に対応することができる。同じ機種の異なる端末の端末能力は異なってよい。同じ端末の端末能力は異なる適用範囲（又は条件と呼ばれる）で異なってよい。同じ端末は１つ以上の端末能力の識別情報を含んでよい。特定条件での端末能力をマッピングすることができるように、異なる条件に対応して、端末能力に対して割り当てた識別情報は異なってよい。異なる端末能力の識別情報は異なる端末能力を指示することができる。なお、端末が異なる条件で異なる端末能力を有する場合に、端末に複数の端末能力の識別情報を割り当てることができる。特定条件が満たされた場合に、端末は、第２指示情報に、該条件での端末能力に対応する端末能力の識別情報を含めるようにすることができる。
【０１６７】
一実施形態では、異なる端末の能力指示補助情報は同じであってよい。異なる端末の能力識別情報は同じであってよい。具体的には、異なる端末が同じ能力を有する場合に、それぞれ対応する能力補助情報は同じであってよく、異なる端末が同じ能力を有する場合に、それぞれ対応する能力識別情報は同じであってよい。
【０１６８】
好ましくは、端末能力に関連する情報に基づいて、第１情報を端末に割り当てることは、
端末機種情報及び能力指示補助情報に基づいて、端末能力に対応する第１指示情報（例えば端末能力の識別情報及び／又は能力識別情報の適用範囲情報）を端末に割り当てることと、
能力指示補助情報に基づいて、端末能力に対応する第１指示情報（例えば端末能力の識別情報及び／又は能力識別情報の適用範囲情報）を端末に割り当てることと、
端末機種情報に基づいて、端末能力に対応する第１指示情報（例えば端末能力の識別情報及び／又は能力識別情報の適用範囲情報又は能力指示補助情報）を端末に割り当てることとの少なくとも１つを含んでよい。
【０１６９】
一実施形態では、端末が複数の端末能力を有する場合に、端末機種情報及び能力指示補助情報に基づいて、端末能力に対応する第１指示情報（例えば端末能力の識別情報及び／又は能力識別情報の適用範囲情報）を端末に割り当てることができる。
【０１７０】
一実施形態では、端末が複数の端末能力を有する場合に、能力指示補助情報に基づいて、端末能力に対応する第１指示情報（例えば端末能力の識別情報及び／又は能力識別情報の適用範囲情報）を端末に割り当てることができる。
【０１７１】
別の実施形態では、端末が複数の端末能力を有する場合に、端末能力情報に基づいて、端末能力に対応する第１指示情報（例えば端末能力の識別情報及び／又は能力識別情報の適用範囲情報又は能力指示補助情報）を端末に割り当てることができる。
【０１７２】
一実施形態では、異なるカテゴリの端末能力に基づいて、それぞれ対応する異なる端末能力の能力識別情報及び／又は能力識別情報の適用範囲を割り当てることができる。別の実施形態では、異なるカテゴリの端末能力に基づいて、それぞれ対応する異なる端末能力の能力指示補助情報を割り当てることができる。能力指示補助情報も能力の適用範囲を体現することができる。
【０１７３】
好ましくは、能力指示補助情報は、能力に対応するカードスロット情報と、能力に対応するカード情報と、能力に対応するサービスネットワーク情報と、能力に対応するネットワークタイプ情報と、能力タイプ指示情報との少なくとも１つを含む。具体的な内容は図１の実施例において説明したとおりである。
【０１７４】
一実施形態では、それぞれ異なるカードスロット情報に対応する端末能力の第１指示情報を割り当てることができる。具体的には、異なるカードスロットに対応する端末能力が異なる場合に、対応する第１指示情報も異なる。
【０１７５】
一実施形態では、異なるカードに対応する端末能力が異なる場合に、それぞれ異なるカード情報に対応する端末能力の第１指示情報を割り当てることができる。具体的には、異なるカードに対応する端末能力が異なる場合に、対応する第１指示情報も異なる。
【０１７６】
一実施形態では、それぞれ異なるサービスネットワークに対応する端末能力の第１指示情報を割り当てることができる。具体的には、異なるサービスネットワークに対応する端末能力が異なる場合に、対応する第１指示情報も異なる。
【０１７７】
好ましくは、同じ端末に複数カテゴリの端末能力がある場合に、複数の端末能力識別情報と各端末能力識別情報の適用範囲を端末に対して設定することができる。端末能力識別情報の適用範囲は端末能力識別情報の適用条件として具現化されてよい。
【０１７８】
一実施形態では、それぞれ異なるネットワークタイプに対応する端末能力の第１指示情報を割り当てることができる。具体的には、異なるネットワークタイプに対応する端末能力が異なる場合に、対応する第１指示情報も異なる。
【０１７９】
一実施形態では、第１指示情報は能力識別情報の適用範囲情報を含んでよい。別の実施形態では、能力識別子構造は能力識別情報の適用範囲情報を含む。なお、端末に複数の能力識別情報が割り当てられている場合に、端末は、能力識別情報の適用範囲情報に基づいて能力識別情報を送信することができる。特定条件が満たされた場合に、特定条件に対応する端末能力の識別情報を送信することができる。
【０１８０】
さらに、端末能力はサービスネットワーク、カード、カードスロット、ネットワークタイプのうちの１つ又は複数の組み合わせに対応する端末能力であってよい。端末能力の第１指示情報はサービスネットワーク、カード、カードスロット、ネットワークタイプのうちの１つ又は複数の組み合わせに対応する端末能力の第１指示情報であってよい。例えば、中国移動メインカードの端末能力識別情報は２１、３１及び４１であり、端末がメインカードにより中国移動ネットワークにアクセスする場合に有する２Ｇネットワーク能力、３Ｇネットワーク能力と４Ｇネットワーク能力をそれぞれマッピングすることができ、例えば、中国移動サブカードの端末能力識別情報は２２、３２及び４２であり、端末がサブカードにより中国移動ネットワークにアクセスする場合に有する２Ｇネットワーク能力、３Ｇネットワーク能力と４Ｇネットワーク能力をそれぞれマッピングすることができる。
【０１８１】
好ましくは、同じ端末に複数カテゴリの端末能力がある場合に、複数の端末能力指示補助情報を端末に対して設定することができる。
【０１８２】
なお、上記通信装置は、第２ネットワーク側ネットワーク要素、ＯＡＭ又は端末メーカー装置であってよい。該第２ネットワーク側ネットワーク要素は上記第１ネットワーク側ネットワーク要素と同じであってもよいし、異なってもよい。
【０１８３】
なお、同じ端末又は同じ機種の異なる端末の端末能力の第１指示情報は１つ以上であってよい。同じ端末又は同じ機種の異なる端末の端末能力指示補助情報は１つ以上であってよい。同じ端末又は同じ機種の異なる端末の端末能力の識別情報は１つ以上であってよい。
【０１８４】
さらに、ステップ３０２の後、前記方法は、前記第１情報を第２対象端に送信することをさらに含んでよい。
【０１８５】
本開示の実施例では、好ましくは、第１情報を前記端末に割り当てるステップ３０２は、能力指示ポリシーに基づいて、前記第１情報を端末に割り当てることを含んでよい。
【０１８６】
なお、該第２ネットワーク側ネットワーク要素は、ＲＡＮネットワーク要素とＣＮネットワーク要素との少なくとも１つであってもよい。該ＣＮネットワーク要素は、ＡＭＦと、ＰＣＦと、ＰＣＲＦと、ＯＡＭと、能力管理機能ネットワークとの少なくとも１つであってよい。ポリシーの割り当てに関するため、該第２ネットワーク側ネットワーク要素はＰＣＦの参加を必要とする可能性があり、一括管理する能力管理機能ネットワーク要素を追加する可能性もある。
【０１８７】
該第２対象端は、ＲＡＮネットワーク要素と、ＣＮネットワーク要素と、端末との少なくとも１つを含んでよい。
【０１８８】
具体的には、情報を割り当てるのが端末メーカー装置である場合に、該第２対象端は、ＲＡＮネットワーク要素とＣＮネットワーク要素との少なくとも１つを含んでよく、情報を割り当てるのがＣＮネットワーク要素である場合に、該第２対象端は、ＲＡＮネットワーク要素と端末との少なくとも１つを含んでよく、情報を割り当てるのがＲＡＮネットワーク要素である場合に、該第２対象端は、ＣＮネットワーク要素と端末との少なくとも１つを含んでよい。
【０１８９】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる一方で、同じ端末が異なる条件で異なる端末能力に対応するという需要を満たすことができる。
【０１９０】
以下、本発明のいくつかの具体的な実施例について、図４〜図８を参照しながら詳細に説明する。
【０１９１】
図４に示すように、本開示の実施例は、端末がＲＡＮネットワーク要素に端末能力の第２指示情報を送信するプロセスを主に説明する。図４に示すように、対応する送信プロセスは、以下のステップ４１〜ステップ４２を含んでよい。
【０１９２】
ステップ４１では、端末は、ＲＡＮネットワーク要素を介して、端末能力の第２指示情報が含まれてよいＮＡＳメッセージをＣＮネットワーク要素に送信する。
【０１９３】
理解できるように、ＣＮネットワーク要素は、端末能力の第２指示情報に基づいて、端末のネットワーク能力をマッピングすることができる。該ＣＮネットワーク要素は、ＡＭＦと、ＰＣＦと、ＰＣＲＦと、ＯＡＭと、能力管理機能ネットワークとの少なくとも１つであってよい。
【０１９４】
該端末能力の第２指示情報は、端末機種情報と、能力指示補助情報と、端末能力の識別情報との少なくとも１つを含んでよい。さらに、該端末機種情報は図１の実施例において説明したとおりであってよく、該能力指示補助情報は図１の実施例において説明したとおりであってよく、該端末能力の識別情報は図１の実施例において説明したとおりであってよく、ここで説明を省略する。
【０１９５】
一実施形態では、端末は、能力指示情報に基づいてポリシーを送信し、端末能力の第２指示情報を送信することができる。
【０１９６】
ステップ４２では、ＣＮネットワーク要素は、ＮＧメッセージ又はＳ１メッセージにより、端末能力の第２指示情報をＲＡＮネットワーク要素に送信する。
【０１９７】
理解できるように、ＲＡＮネットワーク要素は、端末能力の第２指示情報に基づいて、端末の無線能力をマッピングすることができる。
【０１９８】
図５に示すように、本開示の実施例は、端末がＣＮネットワーク要素に端末能力の第２指示情報を送信するプロセスを主に説明する。図５に示すように、対応する送信プロセスは、以下のステップ５１〜ステップ５２を含んでよい。
【０１９９】
ステップ５１では、端末は、端末能力の第２指示情報が含まれてよいＮＡＳメッセージをＲＡＮネットワーク要素に送信する。
【０２００】
理解できるように、ＲＡＮネットワーク要素は、端末能力の第２指示情報に基づいて、端末の無線能力をマッピングすることができる。
【０２０１】
該端末能力の第２指示情報は、端末機種情報と、能力指示補助情報と、端末能力の識別情報との少なくとも１つを含んでよい。さらに、該端末機種情報は図１の実施例において説明したとおりであってよく、該能力指示補助情報は図１の実施例において説明したとおりであってよく、該端末能力の識別情報は図１の実施例において説明したとおりであってよく、ここで説明を省略する。
【０２０２】
一実施形態では、端末は、能力指示情報に基づいてポリシーを送信し、端末能力の第２指示情報を送信することができる。
【０２０３】
ステップ５２では、ＲＡＮネットワーク要素は、ＮＧメッセージ又はＳ１メッセージにより、端末能力の第２指示情報をＣＮネットワーク要素に送信する。
【０２０４】
理解できるように、ＣＮネットワーク要素は、ＡＭＦと、ＰＣＦと、ＰＣＲＦと、ＯＡＭと、能力管理機能ネットワークとの少なくとも１つであってよい。ＣＮネットワーク要素は、端末能力の第２指示情報を記憶することと、端末能力の第２指示情報に基づいて、端末の無線能力をマッピングすることとの少なくとも１つを実行することができる。
【０２０５】
図６に示すように、本開示の実施例は、ＣＮネットワーク要素が第１情報を端末に割り当てるプロセスを主に説明する。図６に示すように、対応する割り当てプロセスは、以下のステップ６１〜ステップ６３を含んでよい。
【０２０６】
ステップ６１では、端末は、ＲＡＮネットワーク要素を介して、端末能力に関連する情報が含まれてよいＮＡＳメッセージをＣＮネットワーク要素に送信する。
【０２０７】
理解できるように、端末能力に関連する情報は、端末機種情報と、能力指示補助情報と、端末能力情報との少なくとも１つを含んでよい。
【０２０８】
ステップ６２では、ＣＮネットワーク要素は、端末能力に関連する情報に基づいて、第１情報を端末に割り当て、ＮＧメッセージ又はＳ１メッセージにより、該第１情報をＲＡＮネットワーク要素に送信する。
【０２０９】
好ましくは、該第１情報は、端末能力の第１指示情報を含んでよい。該端末能力の第１指示情報は図１の実施例につい説明したとおりであってよい。
【０２１０】
理解できるように、ＣＮネットワーク要素は、ＡＭＦと、ＰＣＦと、ＰＣＲＦと、ＯＡＭと、能力管理機能ネットワークとの少なくとも１つであってよい。
【０２１１】
ステップ６３では、ＲＡＮネットワーク要素は、第１情報に基づいて、端末の無線能力をマッピングし、かつ第１情報と、第１情報が含まれてよいＲＲＣメッセージとの少なくとも１つを端末に送信することができる。
【０２１２】
図７に示すように、本開示の実施例は、ＲＡＮネットワーク要素が第１情報を端末に割り当てるプロセスを主に説明する。図７に示すように、対応する割り当てプロセスは、以下のステップ７１〜ステップ７３を含んでよい。
【０２１３】
ステップ７１では、端末は、端末能力に関連する情報が含まれてよいＲＲＣメッセージをＲＡＮネットワーク要素に送信する。
【０２１４】
理解できるように、端末能力に関連する情報は、図３の実施例において説明したとおり、端末機種情報と、能力指示補助情報と、端末能力情報との少なくとも１つを含んでよい。
【０２１５】
ステップ７２では、ＲＡＮネットワーク要素は、端末能力に関連する情報に基づいて、第１情報を端末に割り当て、かつ第１情報が含まれるＮＧ又はＳ１メッセージをＣＮネットワーク要素に送信することができる。
【０２１６】
好ましくは、該ＮＧ又はＳ１メッセージは、初期端末メッセージであってもよいし、端末能力情報メッセージであってもよい。該第１情報は、端末能力の第１指示情報を含んでよい。該端末能力の第１指示情報は図１の実施例において説明したとおりであってよい。
【０２１７】
理解できるように、ＣＮネットワーク要素は、ＡＭＦと、ＰＣＦと、ＰＣＲＦと、ＯＡＭと、能力管理機能ネットワークとの少なくとも１つであってよい。ＣＮネットワーク要素は、第１情報に基づいて端末の無線能力をマッピングすることができる。
【０２１８】
ステップ７３では、ＲＡＮネットワーク要素は、第１情報が含まれてよいＲＲＣメッセージを端末に送信する。
【０２１９】
なお、具体的に実現する場合に、ステップ７３はステップ７２の前に実行されてよい。
【０２２０】
図８に示すように、本開示の実施例は、ＣＮネットワーク要素が第１情報を端末に割り当てるプロセスを主に説明する。図８に示すように、対応する割り当てプロセスは、以下のステップ８１〜ステップ８５を含んでよい。
【０２２１】
ステップ８１では、端末は、ＲＡＮネットワーク要素を介して、端末能力に関連する情報が含まれてよいＮＡＳメッセージを第１ＣＮネットワーク要素に送信する。
【０２２２】
理解できるように、該端末能力に関連する情報は図３において説明したとおりであってよい。該第１ＣＮネットワーク要素は、ＡＭＦ、ＰＣＦ、ＭＭＥ、ＰＣＲＦなどの１つであってよい。
【０２２３】
ステップ８２では、第１ＣＮネットワーク要素は端末能力に関連する情報を第２ＣＮネットワーク要素に送信する。
【０２２４】
該第２ＣＮネットワーク要素は、例えば、能力管理機能ネットワーク要素などであってよい。
【０２２５】
ステップ８３では、第２ＣＮネットワーク要素は、端末能力に関連する情報に基づいて、第１情報を端末に割り当て、かつ第１情報を第１ＣＮネットワーク要素に送信することができる。
【０２２６】
第１情報は、図１の実施例において説明したとおりであってよい。
【０２２７】
ステップ８４では、第１ＣＮネットワーク要素は、ＮＧメッセージ又はＳ１メッセージにより、該第１情報をＲＡＮネットワーク要素に送信することができる。
【０２２８】
ステップ８５では、ＲＡＮネットワーク要素は、第１情報に基づいて、端末の無線能力をマッピングし、かつ第１情報が含まれるＲＲＣメッセージを端末に送信することができる。
【０２２９】
上記実施例は本開示の能力指示方法を説明し、以下では、本開示の端末及びネットワーク側ネットワーク要素について、実施例及び図面を参照しながら説明する。
【０２３０】
図９に示すように、本開示の実施例に係る端末９は、
端末能力の第１指示情報と前記第１指示情報によりマッピングされる端末能力情報との少なくとも１つを含む第１情報を取得する第１取得モジュール９１と、
前記第１情報に基づいて、前記端末能力の第２指示情報を送信する送信モジュール９２とを含む。
【０２３１】
なお、該端末能力の第１指示情報と端末能力の第２指示情報は、図１の実施例において説明したとおりであってよい。例えば、端末能力の第１指示情報は、端末機種情報と、能力指示補助情報と、端末能力の識別情報との少なくとも１つを含んでよい。例えば、端末能力の第２指示情報は、端末機種情報と、能力指示補助情報と、端末能力の識別情報との少なくとも１つを含んでよい。
【０２３２】
好ましくは、前記送信モジュール９２は、具体的には、
前記第１情報及び端末のアクセス情報に基づいて、前記端末能力の第２指示情報を送信し、
前記端末のアクセス情報が、端末がアクセスするサービスネットワークと、端末のサービスネットワークにアクセスするカードの位置と、端末のサービスネットワークにアクセスするカードが位置するカードスロットと、端末が第Ｎカードによりサービスネットワークにアクセスすることと、端末がアクセスするサービスネットワークのネットワークタイプとの少なくとも１つを含む。
【０２３３】
なお、端末が端末能力の第２指示情報を送信するプロセスは、図１の実施例において説明したとおりであってよく、ここで説明を省略する。
【０２３４】
好ましくは、前記送信モジュール９２は、具体的には、
端末がネットワークにアクセスする場合に、端末能力の第２指示情報を送信するか、
又は、ネットワークが端末の能力情報を要求する場合に、前記端末能力の第２指示情報を送信する。
【０２３５】
好ましくは、前記端末能力は、端末コアネットワーク能力と端末無線能力との少なくとも１つを含んでよい。
【０２３６】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる一方で、同じ端末が異なる条件で異なる端末能力に対応するという需要を満たすことができる。
【０２３７】
図１０に示すように、本開示の実施例に係るネットワーク側ネットワーク要素１０は、具体的に第１ネットワーク側ネットワーク要素であってよく、
端末能力の第２指示情報を取得する第２取得モジュール１１と、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行する実行モジュール１２とを含む。
【０２３８】
なお、該端末能力の第２指示情報は、図１の実施例において説明したとおりであってよい。例えば、該端末能力の第２指示情報は、端末機種情報と、能力指示補助情報と、端末能力の識別情報との少なくとも１つを含んでよい。
【０２３９】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる一方、同じ端末が異なる条件で異なる端末能力に対応するという需要を満たすことができる。
【０２４０】
図１１に示すように、本開示の実施例に係る通信装置１１０は、
端末能力に関連する情報を取得する第３取得モジュール１１１と、
前記端末能力に関連する情報に基づいて、端末能力の第１指示情報と前記第１指示情報によりマッピングされる端末能力情報との少なくとも１つを含む第１情報を端末に割り当てる割り当てモジュール１１２とを含む。
【０２４１】
なお、該端末能力の第１指示情報は、図１の実施例において説明したとおりであってよい。例えば、該端末能力の第１指示情報は、端末機種情報と、能力指示補助情報と、端末能力の識別情報との少なくとも１つを含んでよい。
【０２４２】
該端末能力に関連する情報は図３の実施例において説明したとおりであってよい。例えば、該端末能力に関連する情報は、端末機種情報と、能力指示補助情報と、端末能力情報との少なくとも１つを含んでよい。
【０２４３】
好ましくは、前記割り当てモジュール１１２は、具体的には、
前記端末機種情報及び前記能力指示補助情報に基づいて、前記端末能力の第１指示情報を前記端末に割り当て、
前記能力指示補助情報に基づいて、前記端末能力の第１指示情報を前記端末に割り当て、
前記端末機種情報に基づいて、前記端末能力の第１指示情報を前記端末に割り当てる。
【０２４４】
好ましくは、該通信装置１１０は、第２ネットワーク側ネットワーク要素、ＯＡＭ又は端末メーカー装置であってよい。該第２ネットワーク側ネットワーク要素は上記第１ネットワーク側ネットワーク要素１０と同じであってもよいし、異なってもよい。
【０２４５】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる一方で、同じ端末が異なる条件で異なる端末能力に対応するという需要を満たすことができる。
【０２４６】
本開示の実施例は、プロセッサと、メモリと、前記メモリに記憶されて前記プロセッサ上で実行でき、前記プロセッサにより実行されると、端末に適用される上記能力指示方法の実施例の各プロセスを実現し、かつ同じ技術的効果を達成できるコンピュータプログラムとを含む端末をさらに提供し、重複を避けるために、ここで説明を省略する。
【０２４７】
具体的には、図１２は、本開示の各実施例を実現する端末のハードウェア構造概略図であり、該端末１２００は、無線周波数ユニット１２０１、ネットワークモジュール１２０２、オーディオ出力ユニット１２０３、入力ユニット１２０４、センサ１２０５、表示ユニット１２０６、ユーザ入力ユニット１２０７、インタフェースユニット１２０８、メモリ１２０９、プロセッサ１２１０及び電源１２１１などの部品を含むが、これらに限定されない。当業者が理解できるように、図１２に示す端末の構造は、端末を限定するものではなく、端末は、図示より多いか又は少ない部品を含んでもよく、一部の部品を組み合わせたり、異なる部品配置を有したりしてもよい。本開示の実施例では、端末は、携帯電話、タブレット、ノートパソコン、ハンドトップ、車載端末、ウェアラブルデバイス及び歩数計などを含むが、これらに限定されない。
【０２４８】
プロセッサ１２１０は、端末能力の第１指示情報と前記第１指示情報によりマッピングされる端末能力情報との少なくとも１つを含む第１情報を取得する。
【０２４９】
無線周波数ユニット１２０１は、前記第１情報に基づいて、前記端末能力の第２指示情報を送信する。
【０２５０】
理解できるように、本開示の実施例では、端末能力報告の代わりに端末能力指示情報を用いることにより、端末能力報告を減少させ最適化するという効果を達成することができる。さらに、能力指示情報に基づいて端末能力を正確にマッピングするよう保証することができる一方で、同じ端末が異なる条件で異なる端末能力に対応するという需要を満たすことができる。
【０２５１】
理解すべきこととして、本開示の実施例では、無線周波数ユニット１２０１は情報の送受信、又は通話中の信号の受信及び送信に用いられてよく、具体的には、基地局からの下りリンクデータを受信した後、プロセッサ１２１０に処理させ、また、上りリンクデータを基地局に送信する。一般的に、無線周波数ユニット１２０１は、アンテナ、少なくとも１つの増幅器、送受信機、カプラ、低雑音増幅器、デュプレクサなどを含むが、これらに限定されない。また、無線周波数ユニット１２０１は、さらに無線通信システムによりネットワーク及び他の装置と通信することができる。
【０２５２】
端末は、ネットワークモジュール１２０２によりユーザに無線のブロードバンドインターネットアクセスを提供して、例えば、ユーザの電子メールの送受信、ウェブの閲覧及びストリーミングメディアのアクセスなどを支援する。
【０２５３】
オーディオ出力ユニット１２０３は、無線周波数ユニット１２０１又はネットワークモジュール１２０２により受信されるか又はメモリ１２０９に記憶されるオーディオデータをオーディオ信号に変換して音声として出力することができる。また、オーディオ出力ユニット１２０３は、さらに端末１２００により実行される特定の機能に関連するオーディオ出力（例えば、呼出し信号の着信音、メッセージ着信音など）を提供することができる。オーディオ出力ユニット１２０３は、スピーカー、ブザー及び受話器などを含む。
【０２５４】
入力ユニット１２０４は、オーディオ又はビデオ信号を受信する。入力ユニット１２０４は、グラフィック処理ユニット（Ｇｒａｐｈｉｃｓ  Ｐｒｏｃｅｓｓｉｎｇ  Ｕｎｉｔ、ＧＰＵ）１２０４１及びマイクロフォン１２０４２を含んでよく、グラフィック処理ユニット１２０４１は、ビデオ撮影モード又は画像撮影モードで撮影装置（例えば、カメラ）により取得された静止画像又はビデオの画像データを処理する。処理後の画像フレームを表示ユニット１２０６に表示することができる。グラフィック処理ユニット１２０４１により処理された画像フレームは、メモリ１２０９（又は他の記憶媒体）に記憶されてもよく、無線周波数ユニット１２０１又はネットワークモジュール１２０２により送信されてもよい。マイクロフォン１２０４２は音声を受信し、かつこのような音声をオーディオデータに処理することができる。処理後のオーディオデータを、電話通話モードの場合に無線周波数ユニット１２０１により移動通信基地局に送信されるフォーマットに変換して出力することができる。
【０２５５】
端末１２００は、光センサ、動きセンサ及び他のセンサなどの少なくとも１種のセンサ１２０５をさらに含む。具体的には、光センサは、環境光線の明るさに応じて表示パネル１２０６１の輝度を調整することができる環境光センサと、端末１２００が耳元に移動するときに、表示パネル１２０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向き画面の切替、ゲーム関連、磁力計の姿勢較正）、振動識別に関連する機能（例えば、歩数計、タッピング）などに用いられてよく、センサ１２０５は、さらに指紋センサ、圧力センサ、虹彩センサ、分子センサ、ジャイロスコープ、気圧計、湿度計、温度計、赤外線センサなどを含んでよく、ここで説明を省略する。
【０２５６】
表示ユニット１２０６は、ユーザにより入力された情報又はユーザに提供された情報を表示する。表示ユニット１２０６は表示パネル１２０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル１２０６１を構成することができる。
【０２５７】
ユーザ入力ユニット１２０７は、入力された数字又は文字情報を受信し、端末のユーザ設定及び機能制御に関連するキー信号入力を生成するために用いられてよい。具体的には、ユーザ入力ユニット１２０７は、タッチパネル１２０７１及び他の入力装置１２０７２を含む。タッチパネル１２０７１は、タッチスクリーンとも呼ばれ、その上又はその近くでのユーザのタッチ操作（例えば、指、スタイラスペンなどの任意の適切な物体又は付属品を用いるタッチパネル１２０７１上又はタッチパネル１２０７１の近くでのユーザの操作）を収集することができる。タッチパネル１２０７１は、タッチ検出装置及びタッチコントローラの２つの部分を含んでよい。タッチ検出装置は、ユーザのタッチ方向を検出し、かつタッチ操作による信号を検出し、信号をタッチコントローラに送信し、タッチコントローラは、タッチ検出装置からタッチ情報を受信し、かつタッチポイント座標に変換して、プロセッサ１２１０に送信し、プロセッサ１２１０から送信されたコマンドを受信し、かつ実行する。また、抵抗式、容量式、赤外線式及び表面弾性波式などの複数のタイプでタッチパネル１２０７１を実現することができる。タッチパネル１２０７１に加えて、入力ユニット１２０７は、他の入力装置１２０７２をさらに含んでよい。具体的には、他の入力装置１２０７２は、物理キーボード、機能キー（例えば、ボリューム調節キー、スイッチキーなど）、トラックボール、マウス及び操作レバーを含んでよいが、これらに限定されず、ここで説明を省略する。
【０２５８】
さらに、タッチパネル１２０７１は、表示パネル１２０６１をカバーすることができ、タッチパネル１２０７１がその上又はその近くでのタッチ操作を検出した後、プロセッサ１２１０に送信してタッチイベントのタイプを決定し、その後に、プロセッサ１２１０はタッチイベントのタイプに基づいて対応する視覚的出力を表示パネル１２０６１に提供することができる。図１２において、タッチパネル１２０７１と表示パネル１２０６１は２つの独立した部品として端末の入力と出力機能を実現するが、いくつかの実施例では、タッチパネル１２０７１と表示パネル１２０６１を集積して端末の入力と出力機能を実現することができ、ここでは限定しない。
【０２５９】
インタフェースユニット１２０８は、外部装置と端末１２００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット１２０８は、外部装置からの入力（例えば、データ情報、電力など）を受信し、かつ受信した入力を端末１２００における１つ以上の部品に送信するために用いられてもよく、又は端末１２００と外部装置との間でデータを伝送するために用いられてもよい。
【０２６０】
メモリ１２０９は、ソフトウェアプログラム及び様々なデータを記憶するために用いられてよい。メモリ１２０９は、主に、オペレーティングシステム、少なくとも１つの機能に必要なアプリケーションプログラム（例えば、音声再生機能、画像再生機能など）などを記憶できるプログラム記憶領域と、携帯電話の使用に応じて作成されたデータ（例えば、オーディオデータ、電話帳など）などを記憶できるデータ記憶領域とを含んでよい。また、メモリ１２０９は、高速ランダムアクセスメモリを含んでよく、少なくとも１つの磁気ディスクメモリ素子、フラッシュメモリ素子又は他の揮発性固体メモリ素子などの不揮発性メモリを含んでもよい。
【０２６１】
プロセッサ１２１０は、端末の制御センタであり、様々なインタフェース及び回線を利用して端末全体の各部を接続し、メモリ１２０９に記憶されたソフトウェアプログラム及び／又はモジュールを動作させるか又は実行し、メモリ１２０９に記憶されたデータを呼び出すことにより、端末の様々な機能を実行し、データを処理して、端末を全体的に監視する。プロセッサ１２１０は、１つ以上の処理ユニットを含んでよく、好ましくは、プロセッサ１２１０は、主にオペレーティングシステム、ユーザインタフェース及びアプリケーションプログラムなどを処理するアプリケーションプロセッサと、主に無線通信を処理するモデムプロセッサとを集積することができる。理解できるように、上記モデムプロセッサはプロセッサ１２１０に集積されなくてよい。
【０２６２】
端末１２００は、各部品に給電する電源１２１１（例えば、電池）をさらに含んでよく、好ましくは、電源１２１１は、電源管理システムによりプロセッサ１２１０と論理的に接続されて、電源管理システムにより充電、放電の管理及び消費電力の管理などの機能を実現することができる。
【０２６３】
また、端末１２００は、いくつかの未図示の機能モジュールを含んでよく、ここで説明を省略する。
【０２６４】
本開示の実施例に係るネットワーク側ネットワーク要素は、メモリと、プロセッサと、前記メモリ上に記憶されて前記プロセッサ上で動作可能で、前記プロセッサにより実行されると、ネットワーク側ネットワーク要素に適用される上記能力指示方法の実施例の各プロセスを実現し、かつ同じ技術的効果を達成できるコンピュータプログラムとを含み、重複を避けるため、ここで説明を省略する。
【０２６５】
具体的には、図１３は、本開示の各実施例を実現するネットワーク側ネットワーク要素のハードウェア構造概略図であり、前記ネットワーク側ネットワーク要素１３０は、バス１３１と、送受信機１３２と、アンテナ１３３と、バスインタフェース１３４と、プロセッサ１３５と、メモリ１３６とを含むが、それらに限定されない。
【０２６６】
本開示の実施例では、前記ネットワーク側ネットワーク要素１３０は、メモリ１３６に記憶されてプロセッサ１３５で動作可能なコンピュータプログラムを含む。コンピュータプログラムは、プロセッサ１３５により実行されると、
端末能力の第２指示情報を取得するステップと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行するステップとを実現することができる。
【０２６７】
あるいは、コンピュータプログラムは、プロセッサ１３５により実行されると、
端末能力に関連する情報を取得するステップと、
前記端末能力に関連する情報に基づいて、端末能力の第１指示情報と前記第１指示情報によりマッピングされる端末能力情報との少なくとも１つを含む第１情報を端末に割り当てるステップとを実現することができる。
【０２６８】
送受信機１３２は、プロセッサ１３５による制御下で、データを受信し送信する。
【０２６９】
図１３において、バスアーキテクチャ（バス１３１で表される）について、バス１３１は、任意の数の相互接続されたバス及びブリッジを含んでよく、かつプロセッサ１３５で表される１つ以上のプロセッサ及びメモリ１３６で表されるメモリの様々な回路を一体に接続する。バス１３１はさらに、周辺機器、レギュレータ、電力管理回路などの様々な回路を接続することができ、これらは当業者に周知であるため、本明細書においてさらに説明しない。バスインタフェース１３４は、バス１３１と送受信機１３２との間にインタフェースを提供する。送受信機１３２は、１つの部品であってもよいし、複数の受信機と送信機などの複数の部品であってもよく、伝送媒体上で様々な他の装置と通信するためのユニットを提供する。プロセッサ１３５で処理されたデータは、アンテナ１３３により無線媒体上で伝送され、さらに、アンテナ１３３は、データを受信してデータをプロセッサ１３５に伝送する。
【０２７０】
プロセッサ１３５は、バス１３１の管理と通常の処理を担当し、さらに、タイミング、周辺インタフェース、電圧調整、電源管理及びその他の制御機能を含む様々な機能を提供することができる。メモリ１３６は、プロセッサ１３５が操作を実行するときに用いるデータを記憶するために用いられてよい。
【０２７１】
好ましくは、プロセッサ１３５は、ＣＰＵ、ＡＳＩＣ、ＦＰＧＡ又はＣＰＬＤであってよい。
【０２７２】
本開示の実施例は、プロセッサにより実行されると、上記能力指示方法の実施例の各プロセスを実現し、かつ同じ技術的効果を達成できるコンピュータプログラムが記憶されるコンピュータ読み取り可能な記憶媒体をさらに提供し、重複を避けるために、ここで説明を省略する。該コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等であってよい。
【０２７３】
なお、本明細書において、用語「含む」、「含有」又はその如何なる他の変形は非排他性の包含をカバーすることを意図することにより、一連の要素を含むプロセス、方法、物品又は装置はそれらの要素を含むだけでなく、明確に列記されていない他の要素も含み、又はこのようなプロセス、方法、物品又は装置の固有の要素をさらに含む。より多くの限定がない場合に、語句「１つ．．．を含む」により限定された要素は、該要素を含むプロセス、方法、物品又は装置にさらに別の同じ要素がさらに存在することを排除するものではない。
【０２７４】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は関連技術に寄与する部分がソフトウェア製品の形態で具現化され得て、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク側装置などであってよい）に本開示の各実施例に記載の方法を実行させるための複数の命令を含む。電子ハードウェアは、電子回路、専用の集積回路、プログラマブルな論理デバイス、プログラマブルなプロセッサなどを含むが、これらに限定されない。
【０２７５】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲を逸脱することなしにさらに多くの形態を達成することができるが、これらはいずれも本開示の保護範囲内に属する。
【符号の説明】
【０２７６】
9  端末
10  ネットワーク側ネットワーク要素
11  第２取得モジュール
12  実行モジュール
91  第１取得モジュール
92  送信モジュール
110  通信装置
111  第３取得モジュール
112  割り当てモジュール
130  ネットワーク側ネットワーク要素
132  送受信機
134  バスインタフェース
135  プロセッサ
136  メモリ
1200  端末
1201  無線周波数ユニット
1202  ネットワークモジュール
1203  オーディオ出力ユニット
1204  入力ユニット
1205  センサ
1206  表示ユニット
1207  ユーザ入力ユニット
1208  インタフェースユニット
1209  メモリ
1210  プロセッサ
1211  電源
12041  グラフィック処理ユニット
12042  マイクロフォン
12061  表示パネル
12071  タッチパネル
12072  他の入力装置
【図１】
2021533624.tif 000003
【図２】
2021533624.tif 000004
【図３】
2021533624.tif 000005
【図４】
2021533624.tif 000006
【図５】
2021533624.tif 000007
【図６】
2021533624.tif 000008
【図７】
2021533624.tif 000009
【図８】
2021533624.tif 000010
【図９】
2021533624.tif 000011
【図１０】
2021533624.tif 000012
【図１１】
2021533624.tif 000013
【図１２】
2021533624.tif 000014
【図１３】
2021533624.tif 000015
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
端末に適用される能力指示方法において、
端末能力の第１指示情報と前記第１指示情報によりマッピングされる端末能力情報との少なくとも１つを含む第１情報を取得することと、
前記第１情報に基づいて、前記端末能力の第２指示情報を送信することとを含む、能力指示方法。
【請求項２】
前記端末能力の第１指示情報は、端末機種情報と、能力指示補助情報と、端末能力の識別情報との少なくとも１つを含み、
前記端末能力の第２指示情報は、端末機種情報と、能力指示補助情報と、端末能力の識別情報との少なくとも１つを含む、請求項１に記載の方法。
【請求項３】
前記端末機種情報は、端末メーカー識別子と、タイプ割り当てコードと、ソフトウェアバージョン番号との少なくとも１つを含む、請求項２に記載の方法。
【請求項４】
前記能力指示補助情報は、能力に対応するカードスロット情報と、能力に対応するカード情報と、能力に対応するサービスネットワーク情報と、能力に対応するネットワークタイプ情報と、能力タイプ指示情報との少なくとも１つを含み、
前記能力タイプ指示情報は、無線能力指示情報とネットワーク能力指示情報との少なくとも１つを含み、又は、
前記能力に対応するカードスロット情報は、カードスロットの識別情報と、対応するカードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含み、又は、
前記能力に対応するカード情報は、カードの番号と、カードが位置するカードスロットの番号と、メインカード又はサブカードの指示情報と、能力が全てのカードに適用するか否かを示す指示情報と、能力がカードを区別しないか否かを示す指示情報との少なくとも１つを含み、又は、
前記能力に対応するサービスネットワーク情報は、サービスネットワークのネットワーク識別情報と、能力が全てのサービスネットワークに適用するか否かを示す指示情報と、能力がサービスネットワークを区別しないか否かを示す指示情報との少なくとも１つを含み、又は、
前記能力に対応するネットワークタイプ情報は、ネットワークタイプと、能力が全てのネットワークタイプに適用するか否かを示す指示情報と、能力がネットワークタイプを区別しないか否かを示す指示情報との少なくとも１つを含む、請求項２に記載の方法。
【請求項５】
前記端末能力の識別情報は、能力識別子と能力識別子の適用範囲情報との少なくとも１つを含み、
前記能力識別子の適用範囲情報は、能力識別子に対応するカード情報と、能力識別子に対応するカードスロット情報と、能力識別子に対応するサービスネットワーク情報と、能力識別子に対応するネットワークタイプ情報との少なくとも１つを含む、請求項２に記載の方法。
【請求項６】
前記能力識別子に対応するカード情報は、カードの番号と、カードが位置するカードスロット情報と、メインカード又はサブカードの指示情報と、能力が全てのカードに適用するか否かを示す指示情報と、能力がカードを区別しないか否かを示す指示情報との少なくとも１つを含み、又は、
前記能力識別子に対応するカードスロット情報は、カードスロットの識別情報と、カードスロットの番号と、第１カードスロットの情報と、第２カードスロットの情報と、メインカードスロット又はサブカードスロットの指示情報と、能力が全てのカードスロットに適用するか否かを示す指示情報と、能力がカードスロットを区別しないか否かを示す指示情報との少なくとも１つを含み、又は、
前記能力識別子に対応するサービスネットワーク情報は、サービスネットワークのネットワーク識別情報と、能力識別子が全てのサービスネットワークに適用するか否かを示す指示情報と、能力識別子がサービスネットワークを区別しないか否かを示す指示情報との少なくとも１つを含み、又は、
前記能力識別子に対応するネットワークタイプ情報は、ネットワークタイプと、能力識別子が全てのネットワークタイプに適用するか否かを示す指示情報と、能力識別子がネットワークタイプを区別しないか否かを示す指示情報との少なくとも１つを含む、請求項５に記載の方法。
【請求項７】
前記第１情報に基づいて、前記端末能力の第２指示情報を送信することは、前記第１情報及び端末のアクセス情報に基づいて、前記端末能力の第２指示情報を送信することを含み、
前記端末のアクセス情報は、端末がアクセスするサービスネットワークと、端末のサービスネットワークにアクセスするカードの位置と、端末のサービスネットワークにアクセスするカードが位置するカードスロットと、端末が第Ｎカードによりサービスネットワークにアクセスすることと、端末がアクセスするサービスネットワークのネットワークタイプとの少なくとも１つを含む、請求項１に記載の方法。
【請求項８】
前記端末能力の第２指示情報を送信することは、
端末が第Ｎカードにより第１ネットワークにアクセスする場合に、前記第Ｎカードに対応する能力識別情報を送信することと、
端末が第Ｎカードにより第１ネットワークにアクセスする場合に、前記第１ネットワークの第Ｎカードに対応する能力識別情報を送信することと、
端末が第Ｎカードにより第１ネットワークにアクセスする場合に、前記第１ネットワークの第Ｎカードに対応する、前記端末の前記第１ネットワークの１つ以上のネットワークタイプにおいて対応する能力識別情報を含む能力識別情報を送信することと、
端末が第１ネットワークにアクセスする場合に、前記第１ネットワークに対応する能力識別情報を送信することと、
端末が第１ネットワークにアクセスする場合に、前記端末の前記第１ネットワークの１つ以上のネットワークタイプにおいて対応する能力識別情報を送信することと、
端末が第１ネットワークタイプのネットワークにアクセスする場合に、前記第１ネットワークタイプに対応する能力識別情報を送信することと、の少なくとも１つを含み、
Ｎは１以上の正の整数であり、前記第１ネットワークの第Ｎカードは、前記端末の第Ｎカードスロットに装着される前記第１ネットワークのカードである、請求項７に記載の方法。
【請求項９】
前記端末能力の第２指示情報を送信することは、端末がネットワークにアクセスする場合に、端末能力の第２指示情報を送信すること、
又は、
ネットワークが端末の能力情報を要求する場合に、前記端末能力の第２指示情報を送信することを含む、請求項１に記載の方法。
【請求項１０】
前記端末能力は、端末コアネットワーク能力と端末無線能力との少なくとも１つを含む、請求項１〜９のいずれか１項に記載の方法。
【請求項１１】
第１ネットワーク側ネットワーク要素に適用される能力指示方法において、
端末能力の第２指示情報を取得することと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行することとを含み、
前記端末能力の第２指示情報は、端末機種情報と、能力指示補助情報と、端末能力の識別情報との少なくとも１つを含む、能力指示方法。
【請求項１２】
通信装置に適用される能力指示方法において、
端末能力に関連する情報を取得することと、
前記端末能力に関連する情報に基づいて、端末能力の第１指示情報と前記第１指示情報によりマッピングされる端末能力情報との少なくとも１つを含む第１情報を端末に割り当てることとを含み、
前記端末能力に関連する情報は、端末機種情報と、能力指示補助情報と、端末能力情報との少なくとも１つを含む、能力指示方法。
【請求項１３】
前記端末能力に関連する情報に基づいて、第１情報を端末に割り当てることは、
前記端末機種情報及び前記能力指示補助情報に基づいて、前記端末能力の第１指示情報を前記端末に割り当てることと、
前記能力指示補助情報に基づいて、前記端末能力の第１指示情報を前記端末に割り当てることと、
前記端末機種情報に基づいて、前記端末能力の第１指示情報を前記端末に割り当てることとの少なくとも１つを含む、請求項１２に記載の方法。
【請求項１４】
端末能力の第１指示情報と前記第１指示情報によりマッピングされる端末能力情報との少なくとも１つを含む第１情報を取得する第１取得モジュールと、
前記第１情報に基づいて、前記端末能力の第２指示情報を送信する送信モジュールとを含む、端末。
【請求項１５】
端末能力の第２指示情報を取得する第２取得モジュールと、
前記端末能力の第２指示情報に基づいて端末能力をマッピングすること、前記端末能力の第２指示情報を記憶すること、及び前記端末能力の第２指示情報を第１対象端に送信することの少なくとも１つを、前記端末能力の第２指示情報に基づいて、実行する実行モジュールとを含む、第１ネットワーク側ネットワーク要素。
【請求項１６】
端末能力に関連する情報を取得する第３取得モジュールと、
前記端末能力に関連する情報に基づいて、端末能力の第１指示情報と前記第１指示情報によりマッピングされる端末能力情報との少なくとも１つを含む第１情報を端末に割り当てる割り当てモジュールとを含む、通信装置。
【請求項１７】
プロセッサにより実行されると、請求項１〜１０のいずれか１項に記載の能力指示方法のステップ、又は請求項１１に記載の能力指示方法のステップ、又は請求項１２または１３に記載の能力指示方法のステップを実現するコンピュータプログラムが記憶されたコンピュータ読み取り可能な記憶媒体。
【国際調査報告】
2021533624.tif 000016
2021533624.tif 000017
2021533624.tif 000018
2021533624.tif 000019